(57)【要約】  本開示の実施形態は、ランダムアクセスプロシージャにおける電力制御のための方法、端末デバイス、基地局に関する。端末デバイスにおいて実装される方法は、ランダムアクセスについての要求メッセージのために使用されるべき少なくとも１つの電力制御パラメータを取得すること（Ｓ１０１）と、基地局に、ランダムアクセスについての要求メッセージを送信すること（Ｓ１０２）とを含む。ランダムアクセスについての要求メッセージの電力が、少なくとも１つの電力制御パラメータに基づいて制御される。要求メッセージは、ＲＡＣＨプリアンブルとＰＵＳＣＨとを備える。本開示の実施形態によれば、電力制御は、２ステップＲＡＣＨプロシージャにおいてなど、４ステップＲＡＣＨプロシージャと異なるＲＡＣＨプロシージャにおいて達成され得る。【選択図】図３
2022501853.tif 000002
【特許請求の範囲】
【請求項１】
端末デバイスにおいて実装される方法であって、前記方法が、
ランダムアクセスについての要求メッセージのために使用されるべき少なくとも１つの電力制御パラメータを取得すること（Ｓ１０１）と、
基地局に、前記ランダムアクセスについての前記要求メッセージを送信すること（Ｓ１０２）と
を含み、
前記ランダムアクセスについての前記要求メッセージの電力が、前記少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、方法。
【請求項２】
前記少なくとも１つの電力制御パラメータが、前記要求メッセージの物理アップリンク共有チャネル（ＰＵＳＣＨ）の電力を計算するために使用される、請求項１に記載の方法。
【請求項３】
前記少なくとも１つの電力制御パラメータが、前記要求メッセージの前記ＰＵＳＣＨとプリアンブル送信との間の第１の電力オフセットを備える、請求項２に記載の方法。
【請求項４】
前記プリアンブル送信が前記要求メッセージ中のプリアンブルを備える、請求項３に記載の方法。
【請求項５】
前記プリアンブル送信がランダムアクセスチャネル（ＲＡＣＨ）プリアンブル送信を備える、請求項３に記載の方法。
【請求項６】
前記第１の電力オフセットが、４ステップランダムアクセスにおけるメッセージ３（ｍｓｇ３）ＰＵＳＣＨとＲＡＣＨプリアンブル送信との間の第２の電力オフセットと、追加の第３の電力オフセットとを加算することによって計算される、
請求項３に記載の方法。
【請求項７】
前記要求メッセージの前記ＰＵＳＣＨと前記プリアンブル送信との間の前記第１の電力オフセットは、前記追加の第３の電力オフセットが０であるとき、または前記追加の第３の電力オフセットがないとき、前記４ステップランダムアクセスにおける前記ｍｓｇ３  ＰＵＳＣＨと前記ＲＡＣＨプリアンブル送信との間の前記第２の電力オフセットに等しい、
請求項６に記載の方法。
【請求項８】
前記要求メッセージの前記ＰＵＳＣＨと前記プリアンブル送信との間の前記第１の電力オフセットが、前記基地局からシグナリングメッセージを通して取得されるか、またはあらかじめ決定される、
請求項４から６のいずれか一項に記載の方法。
【請求項９】
前記要求メッセージの前記ＰＵＳＣＨと前記プリアンブル送信との間の前記第１の電力オフセットが、前記４ステップランダムアクセスにおける前記ｍｓｇ３  ＰＵＳＣＨと前記ＲＡＣＨプリアンブル送信との間の前記第２の電力オフセットと同じであり、
前記４ステップランダムアクセスにおける前記ｍｓｇ３  ＰＵＳＣＨと前記ＲＡＣＨプリアンブル送信との間の前記第２の電力オフセットを示すシグナリングメッセージが、前記要求メッセージの前記ＰＵＳＣＨと前記プリアンブル送信との間の前記第１の電力オフセットを示すために再使用される、
請求項３に記載の方法。
【請求項１０】
前記少なくとも１つの電力制御パラメータが、前記要求メッセージの前記ＰＵＳＣＨのための動的電力調節を示す送信電力制御（ＴＰＣ）コマンドを備える、請求項１から９のいずれか一項に記載の方法。
【請求項１１】
前記少なくとも１つの電力制御パラメータが、ダウンリンクパスロス推定値のスケーリングファクタを備える、請求項１から１０のいずれか一項に記載の方法。
【請求項１２】
前記少なくとも１つの電力制御パラメータが、ダウンリンクパスロス推定値を計算するための参照信号リソースインデックスを備える、請求項１から１１のいずれか一項に記載の方法。
【請求項１３】
前記参照信号リソースインデックスが、前記要求メッセージ中のプリアンブルについてのもの、および／または４ステップランダムアクセスにおけるメッセージ１（ｍｓｇ１）の物理ランダムアクセスチャネル（ＰＲＡＣＨ）についてのものと同じである、請求項１２に記載の方法。
【請求項１４】
前記少なくとも１つの電力制御パラメータがメッセージ３（ｍｓｇ３）のｄｅｌｔａＭＣＳを備える、請求項１から１３のいずれか一項に記載の方法。
【請求項１５】
前記参照信号リソースインデックスが、前記基地局からシグナリングメッセージを通して取得されるか、またはあらかじめ決定される、
請求項１２または１３に記載の方法。
【請求項１６】
前記少なくとも１つの電力制御パラメータを取得すること（Ｓ１０１）が、
前記基地局から、前記少なくとも１つの電力制御パラメータを備えるシグナリングメッセージを受信すること（Ｓ４０１）
を含む、請求項１から１５のいずれか一項に記載の方法。
【請求項１７】
前記シグナリングメッセージが、前記少なくとも１つの電力制御パラメータを示すためのフィールドを備える、請求項１６に記載の方法。
【請求項１８】
前記フィールドが任意選択的であり、
前記少なくとも１つの電力制御パラメータを取得することは、
前記フィールドがないときに前記少なくとも１つの電力制御パラメータのデフォルト値を取得すること
を含む、請求項１７に記載の方法。
【請求項１９】
前記シグナリングメッセージが無線リソース制御（ＲＲＣ）シグナリングメッセージである、請求項１６から１８のいずれか一項に記載の方法。
【請求項２０】
前記少なくとも１つの電力制御パラメータを取得すること（Ｓ１０１）が、
前記少なくとも１つの電力制御パラメータのあらかじめ決定された値を取得すること（Ｓ５０１）
を含む、請求項１から１５のいずれか一項に記載の方法。
【請求項２１】
前記ランダムアクセスは、
前記基地局に、前記ランダムアクセスについての前記要求メッセージを送信することと、
前記基地局から、前記ランダムアクセスが成功したかどうかを示す応答を受信することと
を含む２ステップランダムアクセスである、請求項１から２０のいずれか一項に記載の方法。
【請求項２２】
基地局において実装される方法であって、前記方法が、
端末デバイスから、ランダムアクセスについての要求メッセージを受信すること（Ｓ２０１）
を含み、
前記ランダムアクセスについての前記要求メッセージの電力が、少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、方法。
【請求項２３】
前記少なくとも１つの電力制御パラメータが、前記要求メッセージの物理アップリンク共有チャネル（ＰＵＳＣＨ）の電力を計算するために使用される、請求項２２に記載の方法。
【請求項２４】
前記少なくとも１つの電力制御パラメータが、前記要求メッセージの前記ＰＵＳＣＨとプリアンブル送信との間の第１の電力オフセットを備える、請求項２３に記載の方法。
【請求項２５】
前記プリアンブル送信が前記要求メッセージ中のプリアンブルを備える、請求項２４に記載の方法。
【請求項２６】
前記プリアンブル送信がランダムアクセスチャネル（ＲＡＣＨ）プリアンブル送信を備える、請求項２４に記載の方法。
【請求項２７】
前記第１の電力オフセットが、４ステップランダムアクセスにおけるメッセージ３（ｍｓｇ３）ＰＵＳＣＨとＲＡＣＨプリアンブル送信との間の第２の電力オフセットと、追加の第３の電力オフセットとを加算することによって計算される、
請求項２４に記載の方法。
【請求項２８】
前記要求メッセージの前記ＰＵＳＣＨと前記プリアンブル送信との間の前記第１の電力オフセットは、前記追加の第３の電力オフセットが０であるとき、または前記追加の第３の電力オフセットがないとき、前記４ステップランダムアクセスにおける前記ｍｓｇ３  ＰＵＳＣＨと前記ＲＡＣＨプリアンブル送信との間の前記第２の電力オフセットに等しい、
請求項２７に記載の方法。
【請求項２９】
前記要求メッセージの前記ＰＵＳＣＨと前記プリアンブル送信との間の前記第１の電力オフセットが、前記端末デバイスにシグナリングメッセージを通して送信されるか、またはあらかじめ決定される、
請求項２５から２７のいずれか一項に記載の方法。
【請求項３０】
前記要求メッセージの前記ＰＵＳＣＨと前記プリアンブル送信との間の前記第１の電力オフセットが、前記４ステップランダムアクセスにおける前記ｍｓｇ３  ＰＵＳＣＨと前記ＲＡＣＨプリアンブル送信との間の前記第２の電力オフセットと同じであり、
前記４ステップランダムアクセスにおける前記ｍｓｇ３  ＰＵＳＣＨと前記ＲＡＣＨプリアンブル送信との間の前記第２の電力オフセットを示すシグナリングメッセージが、前記要求メッセージの前記ＰＵＳＣＨと前記プリアンブル送信との間の前記第１の電力オフセットを示すために再使用される、
請求項２５または２６に記載の方法。
【請求項３１】
前記少なくとも１つの電力制御パラメータが、前記要求メッセージの前記ＰＵＳＣＨのための動的電力調節を示す送信電力制御（ＴＰＣ）コマンドを備える、請求項２２から３０のいずれか一項に記載の方法。
【請求項３２】
前記少なくとも１つの電力制御パラメータが、ダウンリンクパスロス推定値のスケーリングファクタを備える、請求項２２から３１のいずれか一項に記載の方法。
【請求項３３】
前記少なくとも１つの電力制御パラメータが、ダウンリンクパスロス推定値を計算するための参照信号リソースインデックスを備える、請求項２２から３２のいずれか一項に記載の方法。
【請求項３４】
前記参照信号リソースインデックスが、前記要求メッセージ中のプリアンブルについてのもの、および／または４ステップランダムアクセスにおけるメッセージ１（ｍｓｇ１）の物理ランダムアクセスチャネル（ＰＲＡＣＨ）についてのものと同じである、請求項３３に記載の方法。
【請求項３５】
前記少なくとも１つの電力制御パラメータがメッセージ３（ｍｓｇ３）のｄｅｌｔａＭＣＳを備える、請求項２３から３４のいずれか一項に記載の方法。
【請求項３６】
前記参照信号リソースインデックスが、前記端末デバイスにシグナリングメッセージを通して送信されるか、またはあらかじめ決定される、
請求項３３から３５のいずれか一項に記載の方法。
【請求項３７】
前記端末デバイスに、前記少なくとも１つの電力制御パラメータを備えるシグナリングメッセージを送信すること（Ｓ４０２）
をさらに含む、請求項２２から３６のいずれか一項に記載の方法。
【請求項３８】
前記シグナリングメッセージが、前記少なくとも１つの電力制御パラメータを示すためのフィールドを備える、請求項３７に記載の方法。
【請求項３９】
前記フィールドが任意選択的であり、
前記少なくとも１つの電力制御パラメータは、前記フィールドがないとき、デフォルト値を備える、
請求項３８に記載の方法。
【請求項４０】
前記シグナリングメッセージが無線リソース制御（ＲＲＣ）シグナリングメッセージである、請求項３７から３９のいずれか一項に記載の方法。
【請求項４１】
前記少なくとも１つの電力制御パラメータが、あらかじめ決定された値を備える、請求項２２から３６のいずれか一項に記載の方法。
【請求項４２】
前記ランダムアクセスは、
前記端末デバイスから、前記ランダムアクセスについての前記要求メッセージを受信することと、
前記端末デバイスに、前記ランダムアクセスが成功したかどうかを示す応答を送信することと
を含む２ステップランダムアクセスである、請求項２２から４１のいずれか一項に記載の方法。
【請求項４３】
端末デバイス（１００）であって、
プロセッサ（６０１）と、
メモリ（６０２）と
を備え、前記メモリ（６０２）が、前記プロセッサ（６０１）によって実行可能な命令を含んでおり、それにより、前記端末デバイス（１００）が、
ランダムアクセスについての要求メッセージのために使用されるべき少なくとも１つの電力制御パラメータを取得することと、
基地局に、前記ランダムアクセスについての前記要求メッセージを送信することと
を行うように動作可能であり、
前記ランダムアクセスについての前記要求メッセージの電力が、前記少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、端末デバイス（１００）。
【請求項４４】
前記端末デバイス（１００）が、請求項２から２１のいずれか一項に記載の方法を実施するように動作可能である、請求項４３に記載の端末デバイス（１００）。
【請求項４５】
基地局（２００）であって、
プロセッサ（６０３）と、
メモリ（６０４）と
を備え、前記メモリ（６０４）が、前記プロセッサ（６０３）によって実行可能な命令を含んでおり、それにより、前記基地局（２００）が、
端末デバイスから、ランダムアクセスについての要求メッセージを受信すること
を行うように動作可能であり、
前記ランダムアクセスについての前記要求メッセージの電力が、少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、基地局（２００）。
【請求項４６】
前記基地局（２００）が、請求項２３から４２のいずれか一項に記載の方法を実施するように動作可能である、請求項４５に記載の基地局（２００）。
【請求項４７】
プロセッサによって実行されたとき、前記プロセッサに、請求項１から４２のいずれか一項に記載の方法を実施させる命令（７０１）を備える、コンピュータ可読記憶媒体（７００）。
【発明の詳細な説明】
【技術分野】
【０００１】
本開示は、一般に無線通信の技術に関し、詳細には、ランダムアクセスプロシージャにおける電力制御のための方法、端末デバイス、基地局に関する。
【背景技術】
【０００２】
このセクションは、本開示のより良い理解を容易にし得る態様を紹介する。したがって、このセクションの記述は、この観点において読み取られるべきであり、従来技術にあるものまたは従来技術にないものに関する承認として理解されるべきでない。
【０００３】
図１は、４ステップランダムアクセスプロシージャを示す図である。新無線（ｎｅｗ  ｒａｄｉｏ：ＮＲ）システムなど、無線通信システムでは、図１に示されているような４ステップ（ｆｏｕｒ−ｓｔｅｐ／４−ｓｔｅｐ）手法がランダムアクセスプロシージャのために使用され得る。この手法では、ユーザ機器（ＵＥ）など、端末デバイスは、物理ブロードキャストチャネル（ＰＢＣＨ）中で、１次同期信号（ＰＳＳ）、２次同期信号（ＳＳＳ）を含む、同期信号（ＳＳ）を検出し、無線リソース制御（ＲＲＣ）メッセージ中でブロードキャストされる、残余最小システム情報（ＲＭＳＩ）、他のシステム情報（ＯＳＩ）を含む、システム情報を復号し、その後に、アップリンクにおいて物理ランダムアクセスチャネル（ＰＲＡＣＨ）プリアンブル（メッセージ１）を送信する。次世代ノードＢ（ｇＮＢ）など、基地局が、ランダムアクセス応答（ＲＡＲ、メッセージ２）で返答する。ＵＥは、次いで、物理アップリンク共有チャネル（ＰＵＳＣＨ）上でＵＥ識別情報（メッセージ３）を送信する。
【０００４】
ＵＥは、ＲＡＲ中でタイミングアドバンスコマンドを受信した後にＰＵＳＣＨ（メッセージ３）を送信し、これは、ＰＵＳＣＨがサイクリックプレフィックス（ＣＰ）内にタイミング精度で受信されることを可能にする。このタイミングアドバンスがない場合、システムがＵＥとｇＮＢとの間の極めて小さい距離をもつセル中で適用されない限り、ＰＵＳＣＨを復調し、検出することが可能であるために、極めて大きいＣＰが必要とされるであろう。ＮＲはまた、ＵＥにタイミングアドバンスを提供する必要を伴うより大きいセルをサポートするので、４ステップ手法は、ランダムアクセスプロシージャのために必要とされる。
【０００５】
４ステップランダムアクセスチャネル（ＲＡＣＨ）プロシージャでは、メッセージ３  ＰＵＳＣＨの電力制御が実施される必要がある（第３世代パートナーシッププロジェクト（３ＧＰＰ）技術仕様（ＴＳ）３８．２１３  Ｖ１５．３．０、セクション７．１参照）。
【発明の概要】
【０００６】
本発明の概要は、発明を実施するための形態において以下でさらに説明される概念の選択を簡略化された形で紹介するために提供される。本発明の概要は、請求される主題の主要な特徴または不可欠な特徴を識別するものではなく、請求される主題の範囲を限定するために使用されるものでもない。
【０００７】
本開示のいくつかの態様およびそれらの実施形態は、これらまたは他の課題のソリューションを提供し得る。本明細書で開示される問題点のうちの１つまたは複数に対処する様々な実施形態が、本明細書で提案される。
【０００８】
本開示の第１の態様が、端末デバイスにおいて実装される方法を提供する。本方法は、ランダムアクセスについての要求メッセージのために使用されるべき少なくとも１つの電力制御パラメータを取得することと、基地局に、ランダムアクセスについての要求メッセージを送信することとを含む。ランダムアクセスについての要求メッセージの電力が、少なくとも１つの電力制御パラメータに基づいて制御される。要求メッセージは、ＲＡＣＨプリアンブルとＰＵＳＣＨとを備える。
【０００９】
本開示の実施形態では、少なくとも１つの電力制御パラメータは、要求メッセージの物理アップリンク共有チャネル（ＰＵＳＣＨ）の電力を計算するために使用される。
【００１０】
本開示の実施形態では、少なくとも１つの電力制御パラメータは、要求メッセージのＰＵＳＣＨとプリアンブル送信との間の第１の電力オフセットを備える。
【００１１】
本開示の実施形態では、プリアンブル送信は要求メッセージ中のプリアンブルを備える。
【００１２】
本開示の実施形態では、プリアンブル送信はランダムアクセスチャネル（ＲＡＣＨ）プリアンブル送信を備える。
【００１３】
本開示の実施形態では、第１の電力オフセットは、４ステップランダムアクセスにおけるメッセージ３（ｍｓｇ３）ＰＵＳＣＨとＲＡＣＨプリアンブル送信との間の第２の電力オフセットと、追加の第３の電力オフセットとを加算することによって計算される。
【００１４】
本開示の実施形態では、要求メッセージのＰＵＳＣＨとプリアンブル送信との間の第１の電力オフセットは、追加の第３の電力オフセットが０であるとき、または追加の第３の電力オフセットがないとき、４ステップランダムアクセスにおけるｍｓｇ３  ＰＵＳＣＨとＲＡＣＨプリアンブル送信との間の第２の電力オフセットに等しい。
【００１５】
本開示の実施形態では、要求メッセージのＰＵＳＣＨとプリアンブル送信との間の第１の電力オフセットは、基地局からシグナリングメッセージを通して取得されるか、またはあらかじめ決定される。
【００１６】
本開示の実施形態では、要求メッセージのＰＵＳＣＨとプリアンブル送信との間の第１の電力オフセットは、４ステップランダムアクセスにおけるｍｓｇ３  ＰＵＳＣＨとＲＡＣＨプリアンブル送信との間の第２の電力オフセットと同じである。４ステップランダムアクセスにおけるｍｓｇ３  ＰＵＳＣＨとＲＡＣＨプリアンブル送信との間の第２の電力オフセットを示すシグナリングメッセージが、要求メッセージのＰＵＳＣＨとプリアンブル送信との間の第１の電力オフセットを示すために再使用される。
【００１７】
本開示の実施形態では、少なくとも１つの電力制御パラメータは、要求メッセージのＰＵＳＣＨのための動的電力調節を示す送信電力制御（ＴＰＣ）コマンドを備える。
【００１８】
本開示の実施形態では、少なくとも１つの電力制御パラメータは、ダウンリンクパスロス推定値のスケーリングファクタを備える。
【００１９】
本開示の実施形態では、少なくとも１つの電力制御パラメータは、ダウンリンクパスロス推定値を計算するための参照信号リソースインデックスを備える。
【００２０】
本開示の実施形態では、参照信号リソースインデックスは、要求メッセージ中のプリアンブルについてのもの、および／または４ステップランダムアクセスにおけるメッセージ１（ｍｓｇ１）の物理ランダムアクセスチャネル（ＰＲＡＣＨ）についてのものと同じである。
【００２１】
本開示の実施形態では、少なくとも１つの電力制御パラメータはメッセージ３（ｍｓｇ３）のｄｅｌｔａＭＣＳを備える。
【００２２】
本開示の実施形態では、参照信号リソースインデックスは、基地局からシグナリングメッセージを通して取得されるか、またはあらかじめ決定される。
【００２３】
本開示の実施形態では、少なくとも１つの電力制御パラメータを取得することは、基地局から、少なくとも１つの電力制御パラメータを備えるシグナリングメッセージを受信することを含む。
【００２４】
本開示の実施形態では、シグナリングメッセージは、少なくとも１つの電力制御パラメータを示すためのフィールドを備える。
【００２５】
本開示の実施形態では、フィールドは任意選択的である。少なくとも１つの電力制御パラメータを取得することは、フィールドがないときに少なくとも１つの電力制御パラメータのデフォルト値を取得することを含む。
【００２６】
本開示の実施形態では、シグナリングメッセージは無線リソース制御（ＲＲＣ）シグナリングメッセージである。
【００２７】
本開示の実施形態では、少なくとも１つの電力制御パラメータを取得することは、少なくとも１つの電力制御パラメータのあらかじめ決定された値を取得することを含む。
【００２８】
本開示の実施形態では、ランダムアクセスは、基地局に、ランダムアクセスについての要求メッセージを送信することと、基地局から、ランダムアクセスが成功したかどうかを示す応答を受信することとを含む２ステップランダムアクセスである。
【００２９】
本開示の第２の態様が、基地局において実装される方法を提供する。本方法は、端末デバイスから、ランダムアクセスについての要求メッセージを受信することを含む。ランダムアクセスについての要求メッセージの電力が、少なくとも１つの電力制御パラメータに基づいて制御される。要求メッセージは、ＲＡＣＨプリアンブルとＰＵＳＣＨとを備える。
【００３０】
本開示の実施形態では、少なくとも１つの電力制御パラメータは、要求メッセージの物理アップリンク共有チャネル（ＰＵＳＣＨ）の電力を計算するために使用される。
【００３１】
本開示の実施形態では、少なくとも１つの電力制御パラメータは、要求メッセージのＰＵＳＣＨとプリアンブル送信との間の第１の電力オフセットを備える。
【００３２】
本開示の実施形態では、プリアンブル送信は要求メッセージ中のプリアンブルを備える。
【００３３】
本開示の実施形態では、プリアンブル送信はランダムアクセスチャネル（ＲＡＣＨ）プリアンブル送信を備える。
【００３４】
本開示の実施形態では、第１の電力オフセットは、４ステップランダムアクセスにおけるメッセージ３（ｍｓｇ３）ＰＵＳＣＨとＲＡＣＨプリアンブル送信との間の第２の電力オフセットと、追加の第３の電力オフセットとを加算することによって計算される。
【００３５】
本開示の実施形態では、要求メッセージのＰＵＳＣＨとプリアンブル送信との間の第１の電力オフセットは、追加の第３の電力オフセットが０であるとき、または追加の第３の電力オフセットがないとき、４ステップランダムアクセスにおけるｍｓｇ３  ＰＵＳＣＨとＲＡＣＨプリアンブル送信との間の第２の電力オフセットに等しい。
【００３６】
本開示の実施形態では、要求メッセージのＰＵＳＣＨとプリアンブル送信との間の第１の電力オフセットは、端末デバイスにシグナリングメッセージを通して送信されるか、またはあらかじめ決定される。
【００３７】
本開示の実施形態では、要求メッセージのＰＵＳＣＨとプリアンブル送信との間の第１の電力オフセットは、４ステップランダムアクセスにおけるｍｓｇ３  ＰＵＳＣＨとＲＡＣＨプリアンブル送信との間の第２の電力オフセットと同じである。４ステップランダムアクセスにおけるｍｓｇ３  ＰＵＳＣＨとＲＡＣＨプリアンブル送信との間の第２の電力オフセットを示すシグナリングメッセージが、要求メッセージのＰＵＳＣＨとプリアンブル送信との間の第１の電力オフセットを示すために再使用される。
【００３８】
本開示の実施形態では、少なくとも１つの電力制御パラメータは、要求メッセージのＰＵＳＣＨのための動的電力調節を示す送信電力制御（ＴＰＣ）コマンドを備える。
【００３９】
本開示の実施形態では、少なくとも１つの電力制御パラメータは、ダウンリンクパスロス推定値のスケーリングファクタを備える。
【００４０】
本開示の実施形態では、少なくとも１つの電力制御パラメータは、ダウンリンクパスロス推定値を計算するための参照信号リソースインデックスを備える。
【００４１】
本開示の実施形態では、参照信号リソースインデックスは、要求メッセージ中のプリアンブルについてのもの、および／または４ステップランダムアクセスにおけるメッセージ１（ｍｓｇ１）の物理ランダムアクセスチャネル（ＰＲＡＣＨ）についてのものと同じである。
【００４２】
本開示の実施形態では、少なくとも１つの電力制御パラメータはメッセージ３（ｍｓｇ３）のｄｅｌｔａＭＣＳを備える。
【００４３】
本開示の実施形態では、参照信号リソースインデックスは、端末デバイスにシグナリングメッセージを通して送信されるか、またはあらかじめ決定される。
【００４４】
本開示の実施形態では、本方法は、端末デバイスに、少なくとも１つの電力制御パラメータを備えるシグナリングメッセージを送信することをさらに含む。
【００４５】
本開示の実施形態では、シグナリングメッセージは、少なくとも１つの電力制御パラメータを示すためのフィールドを備える。
【００４６】
本開示の実施形態では、フィールドは任意選択的である。少なくとも１つの電力制御パラメータは、フィールドがないとき、デフォルト値を備える。
【００４７】
本開示の実施形態では、シグナリングメッセージは無線リソース制御（ＲＲＣ）シグナリングメッセージである。
【００４８】
本開示の実施形態では、少なくとも１つの電力制御パラメータは、あらかじめ決定された値を備える。
【００４９】
本開示の実施形態では、ランダムアクセスは、端末デバイスから、ランダムアクセスについての要求メッセージを受信することと、端末デバイスに、ランダムアクセスが成功したかどうかを示す応答を送信することとを含む２ステップランダムアクセスである。
【００５０】
本開示の第３の態様が、プロセッサとメモリとを備える端末デバイスを提供する。メモリは、プロセッサによって実行可能な命令を含んでおり、それにより、本端末デバイスは、ランダムアクセスについての要求メッセージのために使用されるべき少なくとも１つの電力制御パラメータを取得することと、基地局に、ランダムアクセスについての要求メッセージを送信することとを行うように動作可能である。ランダムアクセスについての要求メッセージの電力が、少なくとも１つの電力制御パラメータに基づいて制御される。要求メッセージは、ＲＡＣＨプリアンブルとＰＵＳＣＨとを備える。
【００５１】
本開示の実施形態では、本端末デバイスは、任意の上述の方法を実施するように動作可能である。
【００５２】
本開示の第４の態様が、プロセッサとメモリとを備える基地局を提供する。メモリは、プロセッサによって実行可能な命令を含んでおり、それにより、本基地局は、端末デバイスから、ランダムアクセスについての要求メッセージを受信することを行うように動作可能である。ランダムアクセスについての要求メッセージの電力が、少なくとも１つの電力制御パラメータに基づいて制御される。要求メッセージは、ＲＡＣＨプリアンブルとＰＵＳＣＨとを備える。
【００５３】
本開示の実施形態では、本基地局は、任意の上述の方法を実施するように動作可能である。
【００５４】
本開示の第５の態様が、プロセッサによって実行されたとき、プロセッサに、任意の上述の方法を実施させる命令を備えるコンピュータ可読記憶媒体を提供する。
【００５５】
本開示の第６の態様が、ランダムアクセスについての要求メッセージのために使用されるべき少なくとも１つの電力制御パラメータを取得するように設定された取得ユニットと、基地局に、ランダムアクセスについての要求メッセージを送信するように設定された送信ユニットとを備える端末デバイスを提供する。
【００５６】
本開示の実施形態では、取得ユニットは、基地局から、少なくとも１つの電力制御パラメータを備えるシグナリングメッセージを受信するようにさらに設定される。
【００５７】
本開示の実施形態では、取得ユニットは、少なくとも１つの電力制御パラメータのあらかじめ決定された値を取得するようにさらに設定される。
【００５８】
本開示の第７の態様が、端末デバイスから、ランダムアクセスについての要求メッセージを受信するように設定された受信ユニットを備える基地局を提供する。
【００５９】
本開示の実施形態では、本基地局は、端末デバイスに、少なくとも１つの電力制御パラメータを備えるシグナリングメッセージを送信するように設定された送信ユニットをさらに備える。
【００６０】
本開示の第８の態様が、ユーザデータを提供するように設定された処理回路と、端末デバイスへの送信のためにユーザデータをセルラーネットワークにフォワーディングするように設定された通信インターフェースとを含むホストコンピュータを含む通信システムを提供する。セルラーネットワークは、上述の基地局、および／または、上述の端末デバイスを含む。
【００６１】
本開示の実施形態では、本システムは、端末デバイスをさらに含み、端末デバイスは、基地局と通信するように設定される。
【００６２】
本開示の実施形態では、ホストコンピュータの処理回路は、ホストアプリケーションを実行し、それによりユーザデータを提供するように設定され、端末デバイスは、ホストアプリケーションに関連付けられたクライアントアプリケーションを実行するように設定された処理回路を含む。
【００６３】
本開示の第９の態様が、端末デバイスからの送信から発生したユーザデータを受信するように設定された通信インターフェースを含むホストコンピュータと、基地局とを含む通信システムを提供する。送信は、端末デバイスから基地局へのものである。基地局は上述され、および／または、端末デバイスは上述される。
【００６４】
本開示の実施形態では、ホストコンピュータの処理回路は、ホストアプリケーションを実行するように設定される。端末デバイスは、ホストアプリケーションに関連付けられたクライアントアプリケーションを実行し、それによりホストコンピュータによって受信されるべきユーザデータを提供するように設定される。
【００６５】
本開示の第１０の態様が、ホストコンピュータと、基地局と、ＵＥとを含み得る通信システムにおいて実装される方法を提供する。本方法は、ホストコンピュータにおいてユーザデータを提供することを含み得る。任意選択的に、本方法は、ホストコンピュータにおいて、本開示の第２の態様による方法の任意のステップを実施し得る基地局を備えるセルラーネットワークを介してＵＥにユーザデータを搬送する送信を始動することを含み得る。
【００６６】
本開示の第１１の態様が、ホストコンピュータを含む通信システムを提供する。ホストコンピュータは、ユーザデータを提供するように設定された処理回路と、ＵＥへの送信のためにユーザデータをセルラーネットワークにフォワーディングするように設定された通信インターフェースとを備え得る。セルラーネットワークは、無線インターフェースと処理回路とを有する基地局を備え得る。基地局の処理回路は、本開示の第２の態様による方法の任意のステップを実施するように設定され得る。
【００６７】
本開示の第１２の態様が、ホストコンピュータと、基地局と、ＵＥとを含み得る通信システムにおいて実装される方法を提供する。本方法は、ホストコンピュータにおいてユーザデータを提供することを含み得る。任意選択的に、本方法は、ホストコンピュータにおいて、基地局を備えるセルラーネットワークを介してＵＥにユーザデータを搬送する送信を始動することを含み得る。ＵＥは、本開示の第１の態様による方法の任意のステップを実施し得る。
【００６８】
本開示の第１３の態様が、ホストコンピュータを含む通信システムを提供する。ホストコンピュータは、ユーザデータを提供するように設定された処理回路と、ＵＥへの送信のためにユーザデータをセルラーネットワークにフォワーディングするように設定された通信インターフェースとを備え得る。ＵＥは、無線インターフェースと処理回路とを備え得る。ＵＥの処理回路は、本開示の第１の態様による方法の任意のステップを実施するように設定され得る。
【００６９】
本開示の第１４の態様が、ホストコンピュータと、基地局と、ＵＥとを含み得る通信システムにおいて実装される方法を提供する。本方法は、ホストコンピュータにおいて、本開示の第１の態様による方法の任意のステップを実施し得るＵＥから基地局に送信されたユーザデータを受信することを含み得る。
【００７０】
本開示の第１５の態様が、ホストコンピュータを含む通信システムを提供する。ホストコンピュータは、ＵＥから基地局への送信から発生したユーザデータを受信するように設定された通信インターフェースを備え得る。ＵＥは、無線インターフェースと処理回路とを備え得る。ＵＥの処理回路は、本開示の第１の態様による方法の任意のステップを実施するように設定され得る。
【００７１】
本開示の第１６の態様が、ホストコンピュータと、基地局と、ＵＥとを含み得る通信システムにおいて実装される方法を提供する。本方法は、ホストコンピュータにおいて、基地局から、基地局がＵＥから受信した送信から発生したユーザデータを受信することを含み得る。基地局は、本開示の第２の態様による方法の任意のステップを実施し得る。
【００７２】
本開示の第１７の態様が、ホストコンピュータを含み得る通信システムを提供する。ホストコンピュータは、ＵＥから基地局への送信から発生したユーザデータを受信するように設定された通信インターフェースを備え得る。基地局は、無線インターフェースと処理回路とを備え得る。基地局の処理回路は、本開示の第２の態様による方法の任意のステップを実施するように設定され得る。
【００７３】
添付の図面における本開示のいくつかの実施形態のより詳細な説明を通して、本開示の上記および他の目的、特徴および利点がより明らかになり、同じ参照符号は、概して、本開示の実施形態における同じ構成要素を指す。
【図面の簡単な説明】
【００７４】
【図１】４ステップランダムアクセスプロシージャを示す図である。
【図２】２ステップランダムアクセスプロシージャを示す図である。
【図３】本開示の実施形態による、ランダムアクセスプロシージャにおける電力制御のための方法を示す例示的なフローチャートである。
【図４】本開示の実施形態による、ランダムアクセスプロシージャにおける電力制御のための方法のサブステップを示す例示的なフローチャートである。
【図５】本開示の実施形態による、ランダムアクセスプロシージャにおける電力制御のための方法のサブステップを示す別の例示的なフローチャートである。
【図６】本開示の実施形態による、ネットワークノードを示すブロック図である。
【図７】本開示の実施形態による、コンピュータ可読記憶媒体を示すブロック図である。
【図８】端末デバイスの機能ユニットを示す概略図である。
【図９】基地局の機能ユニットを示す概略図である。
【図１０】いくつかの実施形態による、無線ネットワークを示す概略図である。
【図１１】いくつかの実施形態による、ユーザ機器を示す概略図である。
【図１２】いくつかの実施形態による、仮想化環境を示す概略図である。
【図１３】いくつかの実施形態による、中間ネットワークを介してホストコンピュータに接続された電気通信ネットワークを示す概略図である。
【図１４】いくつかの実施形態による、部分的無線接続上で基地局を介してユーザ機器と通信するホストコンピュータを示す概略図である。
【図１５】いくつかの実施形態による、ホストコンピュータと、基地局と、ユーザ機器とを含む通信システムにおいて実装される方法を示す概略図である。
【図１６】いくつかの実施形態による、ホストコンピュータと、基地局と、ユーザ機器とを含む通信システムにおいて実装される方法を示す概略図である。
【図１７】いくつかの実施形態による、ホストコンピュータと、基地局と、ユーザ機器とを含む通信システムにおいて実装される方法を示す概略図である。
【図１８】いくつかの実施形態による、ホストコンピュータと、基地局と、ユーザ機器とを含む通信システムにおいて実装される方法を示す概略図である。
【発明を実施するための形態】
【００７５】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００７６】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになる。
【００７７】
本明細書全体にわたる、特徴、利点、または同様の言い回しへの言及は、本開示とともに実現され得る特徴および利点のすべてが、本開示の単一の実施形態におけるものであるべきであることまたはその実施形態におけるものであることを暗示しない。むしろ、特徴および利点に言及する言い回しは、一実施形態に関して説明される特定の特徴、利点、または特性が、本開示の少なくとも１つの実施形態に含まれることを意味すると理解されたい。さらに、本開示の説明される特徴、利点、および特性は、１つまたは複数の実施形態において任意の好適な様式で組み合わせられ得る。具体的な実施形態の特定の特徴または利点のうちの１つまたは複数なしに本開示が実践され得ることを、当業者は認識されよう。他の事例では、本開示のすべての実施形態に存在するとは限らないことがある追加の特徴および利点が、いくつかの実施形態において認識され得る。
【００７８】
本明細書で使用される「ネットワーク」、または「通信ネットワーク／システム」という用語は、新無線（ＮＲ）、ｌｏｎｇ  ｔｅｒｍ  ｅｖｏｌｕｔｉｏｎ（ＬＴＥ）、ＬＴＥアドバンスト、広帯域符号分割多元接続（ＷＣＤＭＡ）、高速パケットアクセス（ＨＳＰＡ）など、任意の好適な通信規格に従うネットワーク／システムを指す。さらに、通信ネットワークにおける端末デバイスとネットワークノードとの間の通信は、限定はしないが、第１世代（１Ｇ）通信プロトコル、第２世代（２Ｇ）通信プロトコル、２．５Ｇ通信プロトコル、２．７５Ｇ通信プロトコル、第３世代（３Ｇ）通信プロトコル、４Ｇ通信プロトコル、４．５Ｇ通信プロトコル、５Ｇ通信プロトコルを含む、任意の好適な世代の通信プロトコル、および／あるいは現在知られているかまたは将来において開発されることになる任意の他のプロトコルに従って実施され得る。
【００７９】
「ネットワークノード」または「ネットワーク側ノード」という用語は、通信ネットワークにおけるアクセス機能をもつネットワークデバイスを指し、それを介して、端末デバイスが通信ネットワークにアクセスし、通信ネットワークからサービスを受信する。ネットワークノードは、無線通信ネットワークにおける基地局（ＢＳ）、アクセスポイント（ＡＰ）、マルチセル／マルチキャスト協調エンティティ（ＭＣＥ）、コントローラまたは任意の他の好適なデバイスを含み得る。ＢＳは、たとえば、ノードＢ（ノードＢ（ＮｏｄｅＢ）またはＮＢ）、エボルブドノードＢ（ｅノードＢまたはｅＮＢ）、次世代ノードＢ（ｇノードＢまたはｇＮＢ）、リモートラジオユニット（ＲＲＵ）、無線ヘッダ（ＲＨ）、リモート無線ヘッド（ＲＲＨ）、リレー、フェムト、ピコなどの低電力ノードなどであり得る。
【００８０】
ネットワークノードのまたさらなる例は、マルチスタンダード無線（ＭＳＲ）ＢＳなどのＭＳＲ無線機器、無線ネットワークコントローラ（ＲＮＣ）または基地局コントローラ（ＢＳＣ）などのネットワークコントローラ、基地トランシーバ局（ＢＴＳ）、送信ポイント、送信ノード、測位ノードなどを備える。しかしながら、より一般的には、ネットワークノードは、無線通信ネットワークへの端末デバイスアクセスを可能にし、および／または提供し、あるいは、無線通信ネットワークにアクセスした端末デバイスに何らかのサービスを提供することが可能な、そうするように設定された、構成された、および／または動作可能な任意の好適なデバイス（またはデバイスのグループ）を表し得る。
【００８１】
さらに、「ネットワークノード」または「ネットワーク側ノード」という用語は、コアネットワーク機能をもつネットワークデバイスをも指し得る。ネットワークノードは、モビリティ管理エンティティ（ＭＭＥ）、またはモバイルスイッチングセンタ（ＭＳＣ）を指し得る。
【００８２】
「端末デバイス」という用語は、通信ネットワークにアクセスし、通信ネットワークからサービスを受信することができる任意のエンドデバイスを指す。限定ではなく例として、端末デバイスは、ユーザ機器（ＵＥ）、または他の好適なデバイスを指し得る。ＵＥは、たとえば、加入者局、ポータブル加入者局、移動局（ＭＳ）またはアクセス端末（ＡＴ）であり得る。端末デバイスは、限定はしないが、ポータブルコンピュータ、デジタルカメラなどの画像キャプチャ端末デバイス、ゲーミング端末デバイス、音楽記憶および再生器具、モバイルフォン、セルラーフォン、スマートフォン、タブレット、ウェアラブルデバイス、携帯情報端末（ＰＤＡ）、車両などを含み得る。
【００８３】
また別の特定の例として、モノのインターネット（ＩｏＴ）シナリオでは、端末デバイスは、ＩｏＴデバイスと呼ばれることもあり、監視、検知および／または測定などを実施し、そのような監視、検知および／または測定などの結果を別の端末デバイスおよび／またはネットワーク機器に送信する、マシンまたは他のデバイスを表し得る。端末デバイスは、この場合、マシンツーマシン（Ｍ２Ｍ）デバイスであり得、Ｍ２Ｍデバイスは、第３世代パートナーシッププロジェクト（３ＧＰＰ）コンテキストではマシン型通信（ＭＴＣ）デバイスと呼ばれることがある。
【００８４】
１つの特定の例として、端末デバイスは、３ＧＰＰ狭帯域モノのインターネット（ＮＢ−ＩｏＴ）規格を実装するＵＥであり得る。そのようなマシンまたはデバイスの具体的な例は、センサー、電力計などの計量デバイス、産業用機械類、あるいは家庭用または個人用電気器具、たとえば、冷蔵庫、テレビジョン、時計などの個人用ウェアラブルなどである。他のシナリオでは、端末デバイスは、車両または他の機器、たとえば、医療器械を表し得、これは、その動作ステータスに対する監視、検知および／または報告など、あるいはその動作に関連付けられた他の機能が可能である。
【００８５】
本明細書で使用される「第１の」、「第２の」などという用語は、異なるエレメントを指す。単数形「ａ」および「ａｎ」は、コンテキストが別段に明確に示すのでなければ、複数形をも含むものとする。本明細書で使用される「備える、含む（ｃｏｍｐｒｉｓｅｓ）」、「備える、含む（ｃｏｍｐｒｉｓｉｎｇ）」、「有する（ｈａｓ）」、「有する（ｈａｖｉｎｇ）」、「含む（ｉｎｃｌｕｄｅｓ）」および／または「含む（ｉｎｃｌｕｄｉｎｇ）」という用語は、述べられた特徴、エレメント、および／または構成要素などの存在を指定するが、１つまたは複数の他の特徴、エレメント、構成要素および／またはそれらの組合せの存在または追加を排除しない。「に基づいて」という用語は、「に少なくとも部分的に基づいて」として読み取られるべきである。「一実施形態（ｏｎｅ  ｅｍｂｏｄｉｍｅｎｔ）」および「一実施形態（ａｎ  ｅｍｂｏｄｉｍｅｎｔ）」という用語は、「少なくとも１つの実施形態」として読み取られるべきである。「別の実施形態」という用語は、「少なくとも１つの他の実施形態」として読み取られるべきである。明示的および暗黙的な他の規定が、以下で含まれ得る。
【００８６】
図２は、２ステップランダムアクセスプロシージャを示す図である。図２に示されているように、初期ランダムアクセスは、わずか２つのステップにおいて完了され得る。第１のステップにおいて、ＵＥは、基地局に、ランダムアクセスについての要求メッセージ（メッセージＡ（ＭｓｇＡ））を送信する。第２のステップとして、ＵＥは、基地局から、ランダムアクセスが成功したかどうかを示す応答（メッセージＢ（ＭｓｇＢ））を受信する。要求メッセージ（ＭｓｇＡ）は、ＲＡＣＨプリアンブルとＰＵＳＣＨとを備える。
【００８７】
詳細には、メッセージＡ（ｍｓｇＡ）は、場合によってはＰＵＳＣＨ上の何らかの小さいペイロードを伴う、無線リソース制御（ＲＲＣ）接続要求などの上位レイヤデータとともにランダムアクセスプリアンブルを含む。第２のステップにおいて、ｇＮＢは、ＵＥ識別子割り振り、タイミングアドバンス情報、および競合解消メッセージなどを含むランダムアクセス応答（ＲＡＲ）（ＭｓｇＢ）を送る。
【００８８】
そのような２ステップＲＡＣＨプロシージャでは、プリアンブルおよびＰＵＳＣＨは、ＵＥがランダムアクセス応答（メッセージＢ）を受信する前に、メッセージＡと呼ばれる１つのメッセージ中でＵＥによって送信される。したがって、このメッセージＡ中でＰＵＳＣＨの電力制御パラメータを決定するためのソリューションを提供することが望ましいであろう。
【００８９】
図３は、本開示の実施形態による、ランダムアクセスプロシージャにおける電力制御のための方法を示す例示的なフローチャートである。図３に示されているように、端末デバイスにおいて実装される方法が、ランダムアクセスについての要求メッセージのために使用されるべき少なくとも１つの電力制御パラメータを取得するステップＳ１０１と、基地局に、ランダムアクセスについての要求メッセージを送信するステップＳ１０２とを含む。ランダムアクセスについての要求メッセージの電力が、少なくとも１つの電力制御パラメータに基づいて制御される。要求メッセージは、ＲＡＣＨプリアンブルとＰＵＳＣＨとを備える。
【００９０】
したがって、基地局２００において実装される方法が、端末デバイスから、ランダムアクセスについての要求メッセージを受信するＳ２０１を含み得る。ランダムアクセスについての要求メッセージの電力が、少なくとも１つの電力制御パラメータに基づいて制御される。要求メッセージは、ＲＡＣＨプリアンブルとＰＵＳＣＨとを備える。
【００９１】
方法は、図２に示されているように２ステップＲＡＣＨプロシージャにおいて適用され得る。したがって、ランダムアクセスは、基地局に、ランダムアクセスについての要求メッセージ（ｍｓｇＡ）を送信することと、基地局から、ランダムアクセスが成功したかどうかを示す応答（ｍｓｇＢ）を受信することとを含み得る。
【００９２】
本開示によれば、電力制御は、２ステップＲＡＣＨプロシージャにおいてなど、４ステップＲＡＣＨプロシージャと異なるＲＡＣＨプロシージャにおいて達成され得る。
【００９３】
本開示の実施形態では、少なくとも１つの電力制御パラメータは、要求メッセージの物理アップリンク共有チャネル（ＰＵＳＣＨ）の電力を計算するために使用される。
【００９４】
近遠効果をハンドリングし、チャネル間干渉を緩和するために、各チャネルおよび信号の電力制御が、ＮＲのためのアップリンクにおいて必要とされる。
【００９５】
サービングセルｃのキャリアｆのアクティブアップリンク帯域幅部分（ＵＬ  ＢＷＰ）ｂ上でのＰＵＳＣＨ送信の場合、ＵＥは、最初に、非０ＰＵＳＣＨ送信電力でのアンテナポートの数とＰＵＳＣＨ送信方式のための設定されたアンテナポートの数との比によって、送信電力ＰＰＵＳＣＨ，ｂ，ｆ，ｃ（ｉ，ｊ，ｑｄ，ｌ）の線形値
2022501853.tif 000003
をスケーリングする。ＵＥは、得られたスケーリングされた電力を、ＵＥが非０電力でＰＵＳＣＨを送信するアンテナポートにわたって、等しく分割する。
【００９６】
特定の例として、以下の式が、ＮＲリリース１５におけるすべてのＰＵＳＣＨ送信の送信電力のために使用され、各パラメータの説明の詳細を含む３ＧＰＰ  ＴＳ３８．２１３  Ｖ１５．３．０のセクション７．１において詳細を参照されたい。
【００９７】
サービングセルｃのキャリアｆのアクティブＵＬ  ＢＷＰ  ｂ上の、送信機会ｉにおけるＰＵＳＣＨの電力が、インデックスｊをもつパラメータセット設定とインデックスｌをもつＰＵＳＣＨ電力制御調節状態とを使用して、
2022501853.tif 000004
である。
【００９８】
最初に、いくつかの電力制御パラメータを示すために、４ステップＲＡＣＨプロシージャを例にとる。
【００９９】
パラメータ１  ＰＯ＿ＰＵＳＣＨ，ｂ，ｆ，ｃ（ｊ）は、構成要素ＰＯ＿ＮＯＭＩＮＡＬ＿ＰＵＳＣＨ，ｆ，ｃ（ｊ）と構成要素ＰＯ＿ＵＥ＿ＰＵＳＣＨ，ｂ，ｆ，ｃ（ｊ）との和から組み立てられる。また、メッセージ３の場合、ｊ＝０、ＰＯ＿ＵＥ＿ＰＵＳＣＨ，ｆ，ｃ（０）＝０、およびＰＯ＿ＮＯＭＩＮＡＬ＿ＰＵＳＣＨ，ｆ，ｃ（０）＝ＰＯ＿ＰＲＥ＋ΔＰＲＥＡＭＢＬＥ＿Ｍｓｇ３であり、ここで、（ＰＯ＿ＰＲＥについての）パラメータｐｒｅａｍｂｌｅＲｅｃｅｉｖｅｄＴａｒｇｅｔＰｏｗｅｒ［３ＧＰＰ  ＴＳ３８．３２１参照］と、（ΔＰＲＥＡＭＢＬＥ＿Ｍｓｇ３についての）ｍｓｇ３−ＤｅｌｔａＰｒｅａｍｂｌｅとは、サービングセルのキャリアｆのための上位レイヤによって提供される。
【０１００】
パラメータ２αｂ，ｆ，ｃ（ｊ）、ｊ＝０、αｂ，ｆ，ｃ（０）は、提供されたとき、上位レイヤパラメータｍｓｇ３−Ａｌｐｈａの値であり、他の場合、αｂ，ｆ，ｃ（０）＝１である。
【０１０１】
パラメータ３ＰＬｂ，ｆ，ｃ（ｑｄ）、すなわちダウンリンクパスロス推定値。ＵＥは、ｍｓｇ３  ＰＵＳＣＨについて、対応するＰＲＡＣＨ送信の場合と同じＲＳリソースインデックスｑｄを使用する。
【０１０２】
パラメータ４ｆｂ，ｆ，ｃ（ｉ，ｌ）、すなわちＰＵＳＣＨ電力制御調節状態。Ｍｓｇ３  ＰＵＳＣＨ  ｌ＝０、および、ｆｂ，ｆ，ｃ（０，ｌ）＝ΔＰｒａｍｐｕｐ，ｂ，ｆ，ｃ＋δｍｓｇ２，ｂ，ｆ，ｃの場合、ここで、ｌ＝０であり、δｍｓｇ２，ｂ，ｆ，ｃは、サービングセルｃ中のキャリアｆのアクティブＵＬ  ＢＷＰ  ｂ上のＰＲＡＣＨ送信に対応するランダムアクセス応答メッセージのランダムアクセス応答グラント中で示されるＴＰＣコマンド値であり、
2022501853.tif 000005
であり、ΔＰｒａｍｐｕｐｒｅｑｕｅｓｔｅｄ，ｂ，ｆ，ｃは、上位レイヤによって提供され、サービングセルｃ中のキャリアｆのための最初のランダムアクセスプリアンブルから最後のランダムアクセスプリアンブルまでの上位レイヤによって要求された総電力ランプアップに対応し、
2022501853.tif 000006
は、サービングセルｃのキャリアｆのアクティブＵＬ  ＢＷＰ  ｂ上の第１のＰＵＳＣＨ送信のためのリソースブロックの数において表現されるＰＵＳＣＨリソース割り振りの帯域幅であり、ΔＴＦ，ｂ，ｆ，ｃ（０）は、サービングセルｃのキャリアｆのアクティブＵＬ  ＢＷＰ  ｂ上の第１のＰＵＳＣＨ送信の電力調節である。
【０１０３】
何らかの専用（すなわちブロードキャストされたシグナリングではない）シグナリングが、ここでは３ＧＰＰ  ＴＳ３８．３３１  Ｖ１５．３．０からコピーされ、これは、上述のパラメータ、または他の関係しているパラメータのうちのいくつかの値を割り振るように、接続モードのＵＥに基地局からシグナリングされる。
【０１０４】
ｍｓｇ３−Ａｌｐｈａに関して。
【０１０５】
ｍｓｇ３  ＰＵＳＣＨについての専用アルファ値。Ｌ１パラメータ「ａｌｐｈａ−ｕｅ−ｐｕｓｃｈ−ｍｓｇ３」に対応する（３ＧＰＰ  ＴＳ３８．２１３、セクション７．１参照）。フィールドがないとき、ＵＥは値１を適用する。
【０１０６】
ｄｅｌｔａＭＣＳに関して。
【０１０７】
デルタ変調符号化方式（ＭＣＳ）を適用すべきかどうかを示す。フィールドがないとき、ＵＥは、ＰＵＳＣＨについてｄｅｌｔａ＿ＴＦＣ式においてＫｓ＝０を適用し、ＴＦＣは、トランスポートフォーマット組合せを指す（３ＧＰＰ  ＴＳ３８．３３１参照）。Ｌ１パラメータ「ｄｅｌｔａＭＣＳ−Ｅｎａｂｌｅｄ」に対応する（３ＧＰＰ  ＴＳ３８．２１３、セクション７．１参照）。
2022501853.tif 000007
【０１０８】
本開示の実施形態では、少なくとも１つの電力制御パラメータは、要求メッセージ（たとえば、２ステップＲＡＣＨにおけるｍｓｇＡ）のＰＵＳＣＨとプリアンブル送信との間の第１の電力オフセットを備える。
【０１０９】
本開示の実施形態では、プリアンブル送信は、要求メッセージ（たとえば、２ステップＲＡＣＨにおけるｍｓｇＡ）中のプリアンブル、またはランダムアクセスチャネル（ＲＡＣＨ）プリアンブル送信（たとえば、４ステップＲＡＣＨにおけるｍｓｇ１）を備える。
【０１１０】
本開示の実施形態では、要求メッセージのＰＵＳＣＨとプリアンブル送信との間の第１の電力オフセットは、基地局からシグナリングメッセージを通して取得されるか、またはあらかじめ決定される。
【０１１１】
例示的な名前、たとえばｍｓｇＡ−ＤｅｌｔａＰｒｅａｍｂｌｅが、メッセージＡ  ＰＵＳＣＨと（メッセージＡまたはメッセージ１のいずれか中の）プリアンブルとの間の第１の電力オフセットを示すように規定され得る。詳細には、メッセージＡ中のプリアンブル部分は、メッセージ１と同じ電力設定を有し得る。
【０１１２】
たとえば、このｍｓｇＡ−ＤｅｌｔａＰｒｅａｍｂｌｅを、以下のようにＩＥ  ＰＵＳＣＨ−ＣｏｎｆｉｇＣｏｍｍｏｎ中に導入する。ｍｓｇＡ−ＤｅｌｔａＰｒｅａｍｂｌｅ＝０であるとき、メッセージＡ中のプリアンブルおよびＰＵＳＣＨは、同じ電力設定を有する。
【０１１３】
ｍｓｇＡ−ＤｅｌｔａＰｒｅａｍｂｌｅ
【０１１４】
ｍｓｇＡ  ＰＵＳＣＨとＲＡＣＨプリアンブル送信との間の第１の電力オフセット。実際の値＝フィールド値＊２［ｄＢ］である。その値は、「Ｄｅｌｔａ−ｐｒｅａｍｂｌｅ−ｍｓｇＡ」など、Ｌ１パラメータに対応し得る。
【０１１５】
このパラメータのためのシグナリングメッセージの一例として、第２の電力オフセット「ｍｓｇ３−ＤｅｌｔａＰｒｅａｍｂｌｅ」を示すシグナリングメッセージが再使用され得る。
2022501853.tif 000008
【０１１６】
もちろん、別の例として、「ｍｓｇ３−ＤｅｌｔａＰｒｅａｍｂｌｅ」を示すメッセージの同様の構造をもつ新しいシグナリングが、「ｍｓｇＡ−ＤｅｌｔａＰｒｅａｍｂｌｅ」のために使用され得る。
【０１１７】
本開示の実施形態では、第１の電力オフセットは、４ステップランダムアクセスにおけるメッセージ３（ｍｓｇ３）ＰＵＳＣＨとＲＡＣＨプリアンブル送信との間の第２の電力オフセットと、追加の第３の電力オフセットとを加算することによって計算される。
【０１１８】
したがって、第１の電力オフセット自体ではなく追加の第３の電力オフセットのみがシグナリングされるか、またはあらかじめ決定され得る。
【０１１９】
たとえば、ｍｓｇＡ−ＤｅｌｔａＰｒｅａｍｂｌｅ＝ｍｓｇ３−ＤｅｌｔａＰｒｅａｍｂｌｅ＋Ｐｏであり、追加の第３の電力オフセットＰｏは、シグナリングされるかまたは固定値、たとえば−２ｄＢであるか、あるいは他のパラメータによってあらかじめ決定されるかのいずれかであり得る。
【０１２０】
本開示の実施形態では、要求メッセージのＰＵＳＣＨとプリアンブル送信との間の第１の電力オフセットは、追加の第３の電力オフセット（Ｐｏ）が０であるとき、または追加の第３の電力オフセットがないとき、４ステップランダムアクセスにおけるｍｓｇ３  ＰＵＳＣＨとＲＡＣＨプリアンブル送信との間の第２の電力オフセットに等しい。
【０１２１】
本開示の実施形態では、要求メッセージのＰＵＳＣＨとプリアンブル送信との間の第１の電力オフセットは、４ステップランダムアクセスにおけるｍｓｇ３  ＰＵＳＣＨとＲＡＣＨプリアンブル送信との間の第２の電力オフセットと同じであり得、４ステップランダムアクセスにおけるｍｓｇ３  ＰＵＳＣＨとＲＡＣＨプリアンブル送信との間の第２の電力オフセットを示すシグナリングメッセージが、要求メッセージのＰＵＳＣＨとプリアンブル送信との間の第１の電力オフセットを示すために再使用される。したがって、余分のシグナリングメッセージまたは情報エレメントは必要とされない。
【０１２２】
本開示の実施形態では、少なくとも１つの電力制御パラメータは、要求メッセージのＰＵＳＣＨのための動的電力調節を示す送信電力制御（ＴＰＣ）コマンドを備える。
【０１２３】
固定値がＭｓｇＡ  ＰＵＳＣＨのＴＰＣコマンドのために使用され得る。または、その値は、ＲＲＣシグナリングにおいてシグナリングされ得る。たとえば、ＭｓｇＡ  ＰＵＳＣＨについてのδｍｓｇ２，ｂ，ｆ，ｃを示すＴＰＣコマンドが以下の表に記載されている。左列中の数が受信されたとき、右列中の対応する値が電力調節／シフトの計算のために適応される。
2022501853.tif 000009
【０１２４】
本開示の実施形態では、少なくとも１つの電力制御パラメータは、ダウンリンクパスロス推定値のスケーリングファクタを備える。
【０１２５】
スケーリングファクタは、上式におけるアルファ値αｂ，ｆ，ｃ（ｊ）であり得る。ｍｓｇ３−Ａｌｐｈａと同様の新しいパラメータ、たとえばｍｓｇＡ−Ａｌｐｈａが、ＲＲＣシグナリングにおいてシグナリングされ得るか、または、そのパラメータは、２ステップＲＡＣＨプロシージャにおけるｍｓｇＡ  ＰＵＳＣＨの電力制御のためのαｂ，ｆ，ｃ（ｊ）の計算のためにあらかじめ決定され得る。
【０１２６】
ｍｓｇＡ−Ａｌｐｈａ
【０１２７】
ｍｓｇＡ  ＰＵＳＣＨについての専用のアルファ値。その値は、「ａｌｐｈａ−ｕｅ−ｐｕｓｃｈ−ｍｓｇＡ」など、Ｌ１パラメータに対応し得る。フィールドがないとき、ＵＥは値１を適用する。
2022501853.tif 000010
【０１２８】
本開示の実施形態では、少なくとも１つの電力制御パラメータは、ダウンリンクパスロス推定値を計算するための参照信号リソースインデックスを備える。
【０１２９】
本開示の実施形態では、参照信号リソースインデックスは、要求メッセージ中のプリアンブルについてのもの、および／または４ステップランダムアクセスにおけるメッセージ１（ｍｓｇ１）の物理ランダムアクセスチャネル（ＰＲＡＣＨ）についてのものと同じである。
【０１３０】
本開示の実施形態では、参照信号リソースインデックスは、基地局からシグナリングメッセージを通して取得されるか、またはあらかじめ決定される。
【０１３１】
すなわち、ダウンリンクパスロス推定値ＰＬｂ，ｆ，ｃ（ｑｄ）について、ＵＥは、ｍｓｇＡ  ＰＵＳＣＨについての、対応するｍｓｇＡプリアンブル送信またはＰＲＡＣＨ  ｍｓｇ１送信の場合と同じＲＳリソースインデックスｑｄを使用する。または、別個のＲＳリソースインデックスが、ｍｓｇＡ  ＰＵＳＣＨの電力制御のためにあらかじめ決定されるか、または基地局からＵＥにシグナリングされ得る。
【０１３２】
本開示の実施形態では、少なくとも１つの電力制御パラメータは、ｄｅｌｔａＭＣＳなど、直接適用されるべき既存のパラメータを備える。ｄｅｌｔａＭＣＳが一例にすぎず、適用可能な任意の他の既存のパラメータが含まれ得ることを理解されたい。
【０１３３】
図４は、本開示の実施形態による、ランダムアクセスプロシージャにおける電力制御のための方法のサブステップを示す例示的なフローチャートである。
【０１３４】
図４に示されているように、少なくとも１つの電力制御パラメータを取得するステップＳ１０１は、基地局から、少なくとも１つの電力制御パラメータを備えるシグナリングメッセージを受信するステップＳ４０１を含み得る。
【０１３５】
したがって、基地局２００において実装される方法は、端末デバイスに、少なくとも１つの電力制御パラメータを備えるシグナリングメッセージを送信するステップＳ４０２をさらに含む。
【０１３６】
本開示の実施形態では、専用シグナリングメッセージおよびブロードキャストシグナリングメッセージのいずれかが使用され得る。
【０１３７】
本開示の実施形態では、シグナリングメッセージは、少なくとも１つの電力制御パラメータを示すためのフィールドを備える。
【０１３８】
本開示の実施形態では、フィールドは任意選択的である。少なくとも１つの電力制御パラメータを取得することは、フィールドがないときに少なくとも１つの電力制御パラメータのデフォルト値を取得することを含む。
【０１３９】
本開示の実施形態では、シグナリングメッセージは無線リソース制御（ＲＲＣ）シグナリングメッセージである。
【０１４０】
図５は、本開示の実施形態による、ランダムアクセスプロシージャにおける電力制御のための方法のサブステップを示す別の例示的なフローチャートである。
【０１４１】
図５に示されているように、少なくとも１つの電力制御パラメータを取得するステップＳ１０１は、少なくとも１つの電力制御パラメータのあらかじめ決定された値を取得するステップＳ５０１を含み得る。
【０１４２】
あらかじめ決定された値は、任意のプロトコルまたは動作ストラテジーに従って設定され得る。
【０１４３】
本開示の実施形態によれば、電力制御は、２ステップＲＡＣＨプロシージャにおいてなど、４ステップＲＡＣＨプロシージャと異なるＲＡＣＨプロシージャにおいて達成され得る。
【０１４４】
図６は、本開示の実施形態による、ネットワークノードを示すブロック図である。
【０１４５】
図６に示されているように、端末デバイス１００は、プロセッサ６０１とメモリ６０２とを備える。メモリ６０２は、プロセッサ６０１によって実行可能な命令を含んでおり、それにより、端末デバイス１００は、ランダムアクセスについての要求メッセージのために使用されるべき少なくとも１つの電力制御パラメータを取得すること（Ｓ１０１）と、基地局に、ランダムアクセスについての要求メッセージを送信すること（Ｓ１０２）とを行うように動作可能である。ランダムアクセスについての要求メッセージの電力が、少なくとも１つの電力制御パラメータに基づいて制御される。要求メッセージは、ＲＡＣＨプリアンブルとＰＵＳＣＨとを備える。
【０１４６】
本開示の実施形態では、端末デバイスは、ステップＳ４０１、Ｓ５０１など、任意の上述の方法を実施するように動作可能である。
【０１４７】
図６に示されているように、基地局２００は、プロセッサ６０３とメモリ６０４とを備える。メモリ６０４は、プロセッサ６０３によって実行可能な命令を含んでおり、それにより、基地局２００は、端末デバイスから、ランダムアクセスについての要求メッセージを受信すること（Ｓ２０１）を行うように動作可能である。ランダムアクセスについての要求メッセージの電力が、少なくとも１つの電力制御パラメータに基づいて制御される。要求メッセージは、ＲＡＣＨプリアンブルとＰＵＳＣＨとを備える。
【０１４８】
本開示の実施形態では、基地局は、ステップＳ４０２など、任意の上述の方法を実施するように動作可能である。
【０１４９】
本開示の実施形態によれば、電力制御は、２ステップＲＡＣＨプロシージャにおいてなど、４ステップＲＡＣＨプロシージャと異なるＲＡＣＨプロシージャにおいて達成され得る。
【０１５０】
プロセッサ６０１、６０３は、１つまたは複数のマイクロプロセッサまたはマイクロコントローラなど、任意の種類の処理構成要素、ならびに、デジタル信号プロセッサ（ＤＳＰ）、専用デジタル論理などを含み得る、他のデジタルハードウェアであり得る。メモリ６０２、６０４は、読取り専用メモリ（ＲＯＭ）、ランダムアクセスメモリ、キャッシュメモリ、フラッシュメモリデバイス、光記憶デバイスなど、任意の種類の記憶構成要素であり得る。
【０１５１】
図７は、本開示の実施形態による、コンピュータ可読記憶媒体を示すブロック図である。
【０１５２】
図７に示されているように、コンピュータ可読記憶媒体７００は、プロセッサによって実行されたとき、プロセッサに、任意の上述の方法を実施させる命令／プログラム７０１を備える。
【０１５３】
コンピュータ可読記憶媒体７００は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、リムーバブルカートリッジ、またはフラッシュドライブなど、メモリを含むように設定され得る。
【０１５４】
本開示の実施形態によれば、電力制御は、２ステップＲＡＣＨプロシージャにおいてなど、４ステップＲＡＣＨプロシージャと異なるＲＡＣＨプロシージャにおいて達成され得る。
【０１５５】
図８は、端末デバイスの機能ユニットを示す概略図である。図８に示されているように、端末デバイス１００は、ランダムアクセスについての要求メッセージのために使用されるべき少なくとも１つの電力制御パラメータを取得する（Ｓ１０１）ように設定された取得ユニット８０１と、基地局に、ランダムアクセスについての要求メッセージを送信する（Ｓ１０２）ように設定された送信ユニット８０２とを備え得る。
【０１５６】
さらに、取得ユニット８０１は、ステップＳ４０１、またはＳ５０１を実装するように設定され得る。
【０１５７】
図９は、基地局の機能ユニットを示す概略図である。図９に示されているように、基地局２００は、端末デバイスから、ランダムアクセスについての要求メッセージを受信する（Ｓ２０１）ように設定された受信ユニット９０１を備え得る。基地局２００は、ステップＳ４０２を実装するように設定された送信ユニットをさらに備え得る。
【０１５８】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路、デバイス、モジュール、プロセッサ、メモリ、論理固体および／または個別デバイス、コンピュータプログラムまたは命令などを含み得る。
【０１５９】
機能ユニットがある場合、端末デバイスまたは基地局は、固定プロセッサまたはメモリを必要としないことがあり、任意のコンピューティングリソースおよび記憶リソースが、通信システムにおける少なくとも１つのネットワークノードまたは端末デバイスから構成され得る。仮想化技術およびネットワークコンピューティング技術の導入は、ネットワークリソースの使用効率およびネットワークのフレキシビリティを改善し得る。
【０１６０】
さらに、端末デバイスと基地局とを含む例示的な全体的な通信システムが、以下のように導入される。
【０１６１】
本開示の実施形態は、ユーザデータを提供するように設定された処理回路と、端末デバイスへの送信のためにユーザデータをセルラーネットワークにフォワーディングするように設定された通信インターフェースとを含むホストコンピュータを含む通信システムを提供する。セルラーネットワークは上述の基地局、および／または、上述の端末デバイスを含む。
【０１６２】
本開示の実施形態では、システムは、端末デバイスをさらに含み、端末デバイスは、基地局と通信するように設定される。
【０１６３】
本開示の実施形態では、ホストコンピュータの処理回路は、ホストアプリケーションを実行し、それによりユーザデータを提供するように設定され、端末デバイスは、ホストアプリケーションに関連付けられたクライアントアプリケーションを実行するように設定された処理回路を含む。
【０１６４】
本開示の実施形態は、端末デバイスからの送信から発生したユーザデータを受信するように設定された通信インターフェースを含むホストコンピュータと、基地局とを含む通信システムをも提供する。送信は、端末デバイスから基地局へのものである。基地局は上述され、および／または、端末デバイスは上述される。
【０１６５】
本開示の実施形態では、ホストコンピュータの処理回路は、ホストアプリケーションを実行するように設定される。端末デバイスは、ホストアプリケーションに関連付けられたクライアントアプリケーションを実行し、それによりホストコンピュータによって受信されるべきユーザデータを提供するように設定される。
【０１６６】
図１０は、いくつかの実施形態による、無線ネットワークを示す概略図である。
【０１６７】
本明細書で説明される主題は、任意の好適な構成要素を使用する任意の適切なタイプのシステムにおいて実装され得るが、本明細書で開示される実施形態は、図１０に示されている例示的な無線ネットワークなどの無線ネットワークに関して説明される。簡単のために、図１０の無線ネットワークは、ネットワーク１００６、（ネットワーク側ノードに対応する）ネットワークノード１０６０および１０６０ｂ、ならびに（端末デバイスに対応する）ＷＤ１０１０、１０１０ｂ、および１０１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１０６０および無線デバイス（ＷＤ）１０１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【０１６８】
無線ネットワークは、任意のタイプの通信、電気通信、データ、セルラー、および／または無線ネットワーク、あるいは他の同様のタイプのシステムを備え、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【０１６９】
ネットワーク１００６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【０１７０】
ネットワークノード１０６０およびＷＤ１０１０は、以下でより詳細に説明される様々な構成要素を備える。これらの構成要素は、無線ネットワークにおいて無線接続を提供することなど、ネットワークノードおよび／または無線デバイス機能を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【０１７１】
本明細書で使用されるネットワークノードは、無線デバイスと、ならびに／あるいは、無線デバイスへの無線アクセスを可能にし、および／または提供するための、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【０１７２】
図１０では、ネットワークノード１０６０は、処理回路１０７０と、デバイス可読媒体１０８０と、インターフェース１０９０と、補助機器１０８４と、電源１０８６と、電力回路１０８７と、アンテナ１０６２とを含む。図１０の例示的な無線ネットワーク中に示されているネットワークノード１０６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード１０６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体１０８０は、複数の別個のハードドライブならびに複数のＲＡＭモジュールを備え得る）。
【０１７３】
同様に、ネットワークノード１０６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１０６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１０６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１０８０）、いくつかの構成要素は再使用され得る（たとえば、同じアンテナ１０６２がＲＡＴによって共有され得る）。ネットワークノード１０６０は、ネットワークノード１０６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード１０６０内の他の構成要素に統合され得る。
【０１７４】
処理回路１０７０は、ネットワークノードによって提供されるものとして本明細書で説明される、任意の決定動作、計算動作、または同様の動作（たとえば、いくつかの取得動作）を実施するように設定される。処理回路１０７０によって実施されるこれらの動作は、処理回路１０７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【０１７５】
処理回路１０７０は、単体で、またはデバイス可読媒体１０８０などの他のネットワークノード１０６０構成要素と併せてのいずれかで、ネットワークノード１０６０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路１０７０は、デバイス可読媒体１０８０に記憶された命令、または処理回路１０７０内のメモリに記憶された命令を実行し得る。そのような機能は、本明細書で説明される様々な無線特徴、機能、または利益のうちのいずれかを提供することを含み得る。いくつかの実施形態では、処理回路１０７０は、システムオンチップ（ＳＯＣ）を含み得る。
【０１７６】
いくつかの実施形態では、処理回路１０７０は、無線周波数（ＲＦ）トランシーバ回路１０７２とベースバンド処理回路１０７４とのうちの１つまたは複数を含み得る。いくつかの実施形態では、無線周波数（ＲＦ）トランシーバ回路１０７２とベースバンド処理回路１０７４とは、別個のチップ（またはチップのセット）、ボード、または無線ユニットおよびデジタルユニットなどのユニット上にあり得る。代替実施形態では、ＲＦトランシーバ回路１０７２とベースバンド処理回路１０７４との一部または全部は、同じチップまたはチップのセット、ボード、あるいはユニット上にあり得る。
【０１７７】
いくつかの実施形態では、ネットワークノード、基地局、ｅＮＢまたは他のそのようなネットワークデバイスによって提供されるものとして本明細書で説明される機能の一部または全部は、デバイス可読媒体１０８０、または処理回路１０７０内のメモリに記憶された、命令を実行する処理回路１０７０によって実施され得る。代替実施形態では、機能の一部または全部は、ハードワイヤード様式などで、別個のまたは個別のデバイス可読媒体に記憶された命令を実行することなしに、処理回路１０７０によって提供され得る。それらの実施形態のいずれでも、デバイス可読記憶媒体に記憶された命令を実行するか否かにかかわらず、処理回路１０７０は、説明される機能を実施するように設定され得る。そのような機能によって提供される利益は、処理回路１０７０単独に、またはネットワークノード１０６０の他の構成要素に限定されないが、全体としてネットワークノード１０６０によって、ならびに／または概してエンドユーザおよび無線ネットワークによって、享受される。
【０１７８】
デバイス可読媒体１０８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路１０７０によって使用され得る情報、データ、および／または命令を記憶する、任意の他の揮発性または不揮発性、非一時的デバイス可読および／またはコンピュータ実行可能メモリデバイスを備え得る。デバイス可読媒体１０８０は、コンピュータプログラム、ソフトウェア、論理、ルール、コード、テーブルなどのうちの１つまたは複数を含むアプリケーション、および／または処理回路１０７０によって実行されることが可能であり、ネットワークノード１０６０によって利用される、他の命令を含む、任意の好適な命令、データまたは情報を記憶し得る。デバイス可読媒体１０８０は、処理回路１０７０によって行われた計算および／またはインターフェース１０９０を介して受信されたデータを記憶するために使用され得る。いくつかの実施形態では、処理回路１０７０およびデバイス可読媒体１０８０は、統合されていると見なされ得る。
【０１７９】
インターフェース１０９０は、ネットワークノード１０６０、ネットワーク１００６、および／またはＷＤ１０１０の間のシグナリングおよび／またはデータの有線または無線通信において使用される。示されているように、インターフェース１０９０は、たとえば有線接続上でネットワーク１００６との間でデータを送るおよび受信するための（１つまたは複数の）ポート／（１つまたは複数の）端末１０９４を備える。インターフェース１０９０は、アンテナ１０６２に結合されるか、またはいくつかの実施形態では、アンテナ１０６２の一部であり得る、無線フロントエンド回路１０９２をも含む。無線フロントエンド回路１０９２は、フィルタ１０９８と増幅器１０９６とを備える。無線フロントエンド回路１０９２は、アンテナ１０６２および処理回路１０７０に接続され得る。無線フロントエンド回路は、アンテナ１０６２と処理回路１０７０との間で通信される信号を調整するように設定され得る。無線フロントエンド回路１０９２は、無線接続を介して他のネットワークノードまたはＷＤに送出されるべきであるデジタルデータを受信し得る。無線フロントエンド回路１０９２は、デジタルデータを、フィルタ１０９８および／または増幅器１０９６の組合せを使用して適切なチャネルおよび帯域幅パラメータを有する無線信号に変換し得る。無線信号は、次いで、アンテナ１０６２を介して送信され得る。同様に、データを受信するとき、アンテナ１０６２は無線信号を収集し得、次いで、無線信号は無線フロントエンド回路１０９２によってデジタルデータに変換される。デジタルデータは、処理回路１０７０に受け渡され得る。他の実施形態では、インターフェースは、異なる構成要素および／または構成要素の異なる組合せを備え得る。
【０１８０】
いくつかの代替実施形態では、ネットワークノード１０６０は別個の無線フロントエンド回路１０９２を含まないことがあり、代わりに、処理回路１０７０は、無線フロントエンド回路を備え得、別個の無線フロントエンド回路１０９２なしでアンテナ１０６２に接続され得る。同様に、いくつかの実施形態では、ＲＦトランシーバ回路１０７２の全部または一部が、インターフェース１０９０の一部と見なされ得る。さらに他の実施形態では、インターフェース１０９０は、無線ユニット（図示せず）の一部として、１つまたは複数のポートまたは端末１０９４と、無線フロントエンド回路１０９２と、ＲＦトランシーバ回路１０７２とを含み得、インターフェース１０９０は、デジタルユニット（図示せず）の一部であるベースバンド処理回路１０７４と通信し得る。
【０１８１】
アンテナ１０６２は、無線信号を送り、および／または受信するように設定された、１つまたは複数のアンテナまたはアンテナアレイを含み得る。アンテナ１０６２は、無線フロントエンド回路１０９０に結合され得、データおよび／または信号を無線で送信および受信することが可能な任意のタイプのアンテナであり得る。いくつかの実施形態では、アンテナ１０６２は、たとえば２ＧＨｚから６６ＧＨｚの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１０６２は、ネットワークノード１０６０とは別個であり得、インターフェースまたはポートを通してネットワークノード１０６０に接続可能であり得る。
【０１８２】
アンテナ１０６２、インターフェース１０９０、および／または処理回路１０７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１０６２、インターフェース１０９０、および／または処理回路１０７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【０１８３】
電力回路１０８７は、電力管理回路を備えるか、または電力管理回路に結合され得、本明細書で説明される機能を実施するための電力を、ネットワークノード１０６０の構成要素に供給するように設定される。電力回路１０８７は、電源１０８６から電力を受信し得る。電源１０８６および／または電力回路１０８７は、それぞれの構成要素に好適な形式で（たとえば、各それぞれの構成要素のために必要とされる電圧および電流レベルにおいて）、ネットワークノード１０６０の様々な構成要素に電力を提供するように設定され得る。電源１０８６は、電力回路１０８７および／またはネットワークノード１０６０中に含まれるか、あるいは電力回路１０８７および／またはネットワークノード１０６０の外部にあるかのいずれかであり得る。たとえば、ネットワークノード１０６０は、電気ケーブルなどの入力回路またはインターフェースを介して外部電源（たとえば、電気コンセント）に接続可能であり得、それにより、外部電源は電力回路１０８７に電力を供給する。さらなる例として、電源１０８６は、電力回路１０８７に接続された、または電力回路１０８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１８４】
ネットワークノード１０６０の代替実施形態は、本明細書で説明される機能、および／または本明細書で説明される主題をサポートするために必要な機能のうちのいずれかを含む、ネットワークノードの機能のいくつかの態様を提供することを担当し得る、図１０に示されている構成要素以外の追加の構成要素を含み得る。たとえば、ネットワークノード１０６０は、ネットワークノード１０６０への情報の入力を可能にするための、およびネットワークノード１０６０からの情報の出力を可能にするための、ユーザインターフェース機器を含み得る。これは、ユーザが、ネットワークノード１０６０のための診断、メンテナンス、修復、および他のアドミニストレーティブ機能を実施することを可能にし得る。
【０１８５】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップコンピュータ、ラップトップ組込み機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、Ｖ２Ｖ（Ｖｅｈｉｃｌｅ−ｔｏ−Ｖｅｈｉｃｌｅ）、Ｖ２Ｉ（Ｖｅｈｉｃｌｅ−ｔｏ−Ｉｎｆｒａｓｔｒｕｃｔｕｒｅ）、Ｖ２Ｘ（Ｖｅｈｉｃｌｅ−ｔｏ−Ｅｖｅｒｙｔｈｉｎｇ）のための３ＧＰＰ規格を実装することによって、Ｄ２Ｄ（ｄｅｖｉｃｅ−ｔｏ−ｄｅｖｉｃｅ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合、デバイスは無線端末と呼ばれることがある。さらに、上記で説明されたＷＤはモバイル��あり得、その場合、デバイスはモバイルデバイスまたはモバイル端末と呼ばれることもある。
【０１８６】
示されているように、無線デバイス１０１０は、アンテナ１０１１と、インターフェース１０１４と、処理回路１０２０と、デバイス可読媒体１０３０と、ユーザインターフェース機器１０３２と、補助機器１０３４と、電源１０３６と、電力回路１０３７とを含む。ＷＤ１０１０は、ＷＤ１０１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ１０１０内の他の構成要素と同じまたは異なるチップまたはチップのセットに統合され得る。
【０１８７】
アンテナ１０１１は、無線信号を送り、および／または受信するように設定された、１つまたは複数のアンテナまたはアンテナアレイを含み得、インターフェース１０１４に接続される。いくつかの代替実施形態では、アンテナ１０１１は、ＷＤ１０１０とは別個であり、インターフェースまたはポートを通してＷＤ１０１０に接続可能であり得る。アンテナ１０１１、インターフェース１０１４、および／または処理回路１０２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路および／またはアンテナ１０１１は、インターフェースと見なされ得る。
【０１８８】
示されているように、インターフェース１０１４は、無線フロントエンド回路１０１２とアンテナ１０１１とを備える。無線フロントエンド回路１０１２は、１つまたは複数のフィルタ１０１８と増幅器１０１６とを備える。無線フロントエンド回路１０１４は、アンテナ１０１１および処理回路１０２０に接続され、アンテナ１０１１と処理回路１０２０との間で通信される信号を調整するように設定される。無線フロントエンド回路１０１２は、アンテナ１０１１に結合されるか、またはアンテナ１０１１の一部であり得る。いくつかの実施形態では、ＷＤ１０１０は別個の無線フロントエンド回路１０１２を含まないことがあり、むしろ、処理回路１０２０は、無線フロントエンド回路を備え得、アンテナ１０１１に接続され得る。同様に、いくつかの実施形態では、ＲＦトランシーバ回路１０２２の一部または全部が、インターフェース１０１４の一部と見なされ得る。無線フロントエンド回路１０１２は、無線接続を介して他のネットワークノードまたはＷＤに送出されるべきであるデジタルデータを受信し得る。無線フロントエンド回路１０１２は、デジタルデータを、フィルタ１０１８および／または増幅器１０１６の組合せを使用して適切なチャネルおよび帯域幅パラメータを有する無線信号に変換し得る。無線信号は、次いで、アンテナ１０１１を介して送信され得る。同様に、データを受信するとき、アンテナ１０１１は無線信号を収集し得、次いで、無線信号は無線フロントエンド回路１０１２によってデジタルデータに変換される。デジタルデータは、処理回路１０２０に受け渡され得る。他の実施形態では、インターフェースは、異なる構成要素および／または構成要素の異なる組合せを備え得る。
【０１８９】
処理回路１０２０は、単体で、またはデバイス可読媒体１０３０などの他のＷＤ１０１０構成要素と併せてのいずれかで、ＷＤ１０１０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能は、本明細書で説明される様々な無線特徴または利益のうちのいずれかを提供することを含み得る。たとえば、処理回路１０２０は、本明細書で開示される機能を提供するために、デバイス可読媒体１０３０に記憶された命令、または処理回路１０２０内のメモリに記憶された命令を実行し得る。
【０１９０】
示されているように、処理回路１０２０は、ＲＦトランシーバ回路１０２２、ベースバンド処理回路１０２４、およびアプリケーション処理回路１０２６のうちの１つまたは複数を含む。他の実施形態では、処理回路は、異なる構成要素および／または構成要素の異なる組合せを備え得る。いくつかの実施形態では、ＷＤ１０１０の処理回路１０２０は、ＳＯＣを備え得る。いくつかの実施形態では、ＲＦトランシーバ回路１０２２、ベースバンド処理回路１０２４、およびアプリケーション処理回路１０２６は、別個のチップまたはチップのセット上にあり得る。代替実施形態では、ベースバンド処理回路１０２４およびアプリケーション処理回路１０２６の一部または全部は１つのチップまたはチップのセットになるように組み合わせられ得、ＲＦトランシーバ回路１０２２は別個のチップまたはチップのセット上にあり得る。さらに代替の実施形態では、ＲＦトランシーバ回路１０２２およびベースバンド処理回路１０２４の一部または全部は同じチップまたはチップのセット上にあり得、アプリケーション処理回路１０２６は別個のチップまたはチップのセット上にあり得る。また他の代替実施形態では、ＲＦトランシーバ回路１０２２、ベースバンド処理回路１０２４、およびアプリケーション処理回路１０２６の一部または全部は、同じチップまたはチップのセット中で組み合わせられ得る。いくつかの実施形態では、ＲＦトランシーバ回路１０２２は、インターフェース１０１４の一部であり得る。ＲＦトランシーバ回路１０２２は、処理回路１０２０のためのＲＦ信号を調整し得る。
【０１９１】
いくつかの実施形態では、ＷＤによって実施されるものとして本明細書で説明される機能の一部または全部は、デバイス可読媒体１０３０に記憶された命令を実行する処理回路１０２０によって提供され得、デバイス可読媒体１０３０は、いくつかの実施形態では、コンピュータ可読記憶媒体であり得る。代替実施形態では、機能の一部または全部は、ハードワイヤード様式などで、別個のまたは個別のデバイス可読記憶媒体に記憶された命令を実行することなしに、処理回路１０２０によって提供され得る。それらの特定の実施形態のいずれでも、デバイス可読記憶媒体に記憶された命令を実行するか否かにかかわらず、処理回路１０２０は、説明される機能を実施するように設定され得る。そのような機能によって提供される利益は、処理回路１０２０単独に、またはＷＤ１０１０の他の構成要素に限定されないが、全体としてＷＤ１０１０によって、ならびに／または概してエンドユーザおよび無線ネットワークによって、享受される。
【０１９２】
処理回路１０２０は、ＷＤによって実施されるものとして本明細書で説明される、任意の決定動作、計算動作、または同様の動作（たとえば、いくつかの取得動作）を実施するように設定され得る。処理回路１０２０によって実施されるようなこれらの動作は、処理回路１０２０によって取得された情報を、たとえば、取得された情報を他の情報に変換することによって、処理すること、取得された情報または変換された情報をＷＤ１０１０によって記憶された情報と比較すること、ならびに／あるいは、取得された情報または変換された情報に基づいて、および前記処理が決定を行ったことの結果として、１つまたは複数の動作を実施することを含み得る。
【０１９３】
デバイス可読媒体１０３０は、コンピュータプログラム、ソフトウェア、論理、ルール、コード、テーブルなどのうちの１つまたは複数を含むアプリケーション、および／または処理回路１０２０によって実行されることが可能な他の命令を記憶するように動作可能であり得る。デバイス可読媒体１０３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路１０２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路１０２０およびデバイス可読媒体１０３０は、統合されていると見なされ得る。
【０１９４】
ユーザインターフェース機器１０３２は、人間のユーザがＷＤ１０１０と対話することを可能にする構成要素を提供し得る。そのような対話は、視覚、聴覚、触覚など、多くの形式のものであり得る。ユーザインターフェース機器１０３２は、ユーザへの出力を作り出すように、およびユーザがＷＤ１０１０への入力を提供することを可能にするように動作可能であり得る。対話のタイプは、ＷＤ１０１０にインストールされるユーザインターフェース機器１０３２のタイプに応じて変化し得る。たとえば、ＷＤ１０１０がスマートフォンである場合、対話はタッチスクリーンを介したものであり得、ＷＤ１０１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１０３２は、入力インターフェース、デバイスおよび回路、ならびに、出力インターフェース、デバイスおよび回路を含み得る。ユーザインターフェース機器１０３２は、ＷＤ１０１０への情報の入力を可能にするように設定され、処理回路１０２０が入力情報を処理することを可能にするために、処理回路１０２０に接続される。ユーザインターフェース機器１０３２は、たとえば、マイクロフォン、近接度または他のセンサー、キー／ボタン、タッチディスプレイ、１つまたは複数のカメラ、ＵＳＢポート、あるいは他の入力回路を含み得る。ユーザインターフェース機器１０３２はまた、ＷＤ１０１０からの情報の出力を可能にするように、および処理回路１０２０がＷＤ１０１０からの情報を出力することを可能にするように設定される。ユーザインターフェース機器１０３２は、たとえば、スピーカー、ディスプレイ、振動回路、ＵＳＢポート、ヘッドフォンインターフェース、または他の出力回路を含み得る。ユーザインターフェース機器１０３２の１つまたは複数の入力および出力インターフェース、デバイス、および回路を使用して、ＷＤ１０１０は、エンドユーザおよび／または無線ネットワークと通信し、エンドユーザおよび／または無線ネットワークが本明細書で説明される機能から利益を得ることを可能にし得る。
【０１９５】
補助機器１０３４は、概してＷＤによって実施されないことがある、より固有の機能を提供するように動作可能である。これは、様々な目的のために測定を行うための特殊なセンサー、有線通信など、追加のタイプの通信のためのインターフェースなどを備え得る。補助機器１０３４の構成要素の包含、および補助機器１０３４の構成要素のタイプは、実施形態および／またはシナリオに応じて変化し得る。電源１０３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１０１０は、電源１０３６から、本明細書で説明または示される任意の機能を行うために電源１０３６からの電力を必要とする、ＷＤ１０１０の様々な部分に電力を配信するための、電力回路１０３７をさらに備え得る。電力回路１０３７は、いくつかの実施形態では、電力管理回路を備え得る。電力回路１０３７は、追加または代替として、外部電源から電力を受信するように動作可能であり得、その場合、ＷＤ１０１０は、電力ケーブルなどの入力回路またはインターフェースを介して（電気コンセントなどの）外部電源に接続可能であり得る。電力回路１０３７はまた、いくつかの実施形態では、外部電源から電源１０３６に電力を配信するように動作可能であり得る。これは、たとえば、電源１０３６の充電のためのものであり得る。電力回路１０３７は、電源１０３６からの電力に対して、その電力を、電力が供給されるＷＤ１０１０のそれぞれの構成要素に好適であるようにするために、任意のフォーマッティング、変換、または他の修正を実施し得る。
【０１９６】
図１１は、いくつかの実施形態による、ユーザ機器を示す概略図である。
【０１９７】
図１１は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ１１００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図１１に示されているＵＥ１１００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図１１はＵＥを示すが、本明細書で説明される構成要素は、ＷＤに等しく適用可能であり、その逆も同様である。
【０１９８】
図１１では、ＵＥ１１００は、入出力インターフェース１１０５、無線周波数（ＲＦ）インターフェース１１０９、ネットワーク接続インターフェース１１１１、ランダムアクセスメモリ（ＲＡＭ）１１１７と読取り専用メモリ（ＲＯＭ）１１１９と記憶媒体１１２１などとを含むメモリ１１１５、通信サブシステム１１３１、電源１１３３、および／または任意の他の構成要素、あるいはそれらの任意の組合せに動作可能に結合された、処理回路１１０１を含む。記憶媒体１１２１は、オペレーティングシステム１１２３と、アプリケーションプログラム１１２５と、データ１１２７とを含む。他の実施形態では、記憶媒体１１２１は、他の同様のタイプの情報を含み得る。いくつかのＵＥは、図１１に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【０１９９】
図１１では、処理回路１１０１は、コンピュータ命令およびデータを処理するように設定され得る。処理回路１１０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路１１０１は、２つの中央処理ユニット（ＣＰＵ）を含み得る。データは、コンピュータによる使用に好適な形式での情報であり得る。
【０２００】
図示された実施形態では、入出力インターフェース１１０５は、入力デバイス、出力デバイス、または入出力デバイスに通信インターフェースを提供するように設定され得る。ＵＥ１１００は、入出力インターフェース１１０５を介して出力デバイスを使用するように設定され得る。出力デバイスは、入力デバイスと同じタイプのインターフェースポートを使用し得る。たとえば、ＵＥ１１００への入力およびＵＥ１１００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ１１００は、ユーザがＵＥ１１００に情報をキャプチャすることを可能にするために、入出力インターフェース１１０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０２０１】
図１１では、ＲＦインターフェース１１０９は、送信機、受信機、およびアンテナなど、ＲＦ構成要素に通信インターフェースを提供するように設定され得る。ネットワーク接続インターフェース１１１１は、ネットワーク１１４３ａに通信インターフェースを提供するように設定され得る。ネットワーク１１４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク１１４３ａは、Ｗｉ−Ｆｉネットワークを備え得る。ネットワーク接続インターフェース１１１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース１１１１は、通信ネットワークリンク（たとえば、光学的、電気的など）に適した受信機および送信機機能を実装し得る。送信機および受信機機能は、回路構成要素、ソフトウェアまたはファームウェアを共有し得るか、あるいは、代替的に、別個に実装され得る。
【０２０２】
ＲＡＭ１１１７は、オペレーティングシステム、アプリケーションプログラム、およびデバイスドライバなど、ソフトウェアプログラムの実行中に、データまたはコンピュータ命令の記憶またはキャッシングを提供するために、バス１１０２を介して処理回路１１０１にインターフェースするように設定され得る。ＲＯＭ１１１９は、処理回路１１０１にコンピュータ命令またはデータを提供するように設定され得る。たとえば、ＲＯＭ１１１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体１１２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、リムーバブルカートリッジ、またはフラッシュドライブなど、メモリを含むように設定され得る。一例では、記憶媒体１１２１は、オペレーティングシステム１１２３と、ウェブブラウザアプリケーション、ウィジェットまたはガジェットエンジン、あるいは別のアプリケーションなどのアプリケーションプログラム１１２５と、データファイル１１２７とを含むように設定され得る。記憶媒体１１２１は、ＵＥ１１００による使用のために、多様な様々なオペレーティングシステムまたはオペレーティングシステムの組合せのうちのいずれかを記憶し得る。
【０２０３】
記憶媒体１１２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体１１２１は、ＵＥ１１００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体１１２１中に有形に具現され得、記憶媒体１１２１はデバイス可読媒体を備え得る。
【０２０４】
図１１では、処理回路１１０１は、通信サブシステム１１３１を使用してネットワーク１１４３ｂと通信するように設定され得る。ネットワーク１１４３ａとネットワーク１１４３ｂとは、同じ１つまたは複数のネットワークまたは異なる１つまたは複数のネットワークであり得る。通信サブシステム１１３１は、ネットワーク１１４３ｂと通信するために使用される１つまたは複数のトランシーバを含むように設定され得る。たとえば、通信サブシステム１１３１は、ＩＥＥＥ８０２．１１、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能または受信機機能をそれぞれ実装するための、送信機１１３３および／または受信機１１３５を含み得る。さらに、各トランシーバの送信機１１３３および受信機１１３５は、回路構成要素、ソフトウェアまたはファームウェアを共有し得るか、あるいは、代替的に、別個に実装され得る。
【０２０５】
示されている実施形態では、通信サブシステム１１３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム１１３１は、セルラー通信と、Ｗｉ−Ｆｉ通信と、Ｂｌｕｅｔｏｏｔｈ通信と、ＧＰＳ通信とを含み得る。ネットワーク１１４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク１１４３ｂは、セルラーネットワーク、Ｗｉ−Ｆｉネットワーク、および／またはニアフィールドネットワークであり得る。電源１１１３は、ＵＥ１１００の構成要素に交流（ＡＣ）または直流（ＤＣ）電力を提供するように設定され得る。
【０２０６】
本明細書で説明される特徴、利益および／または機能は、ＵＥ１１００の構成要素のうちの１つにおいて実装されるか、またはＵＥ１１００の複数の構成要素にわたって区分され得る。さらに、本明細書で説明される特徴、利益、および／または機能は、ハードウェア、ソフトウェアまたはファームウェアの任意の組合せで実装され得る。一例では、通信サブシステム１１３１は、本明細書で説明される構成要素のうちのいずれかを含むように設定され得る。さらに、処理回路１１０１は、バス１１０２上でそのような構成要素のうちのいずれかと通信するように設定され得る。別の例では、そのような構成要素のうちのいずれかは、処理回路１１０１によって実行されたとき、本明細書で説明される対応する機能を実施する、メモリに記憶されたプログラム命令によって表され得る。別の例では、そのような構成要素のうちのいずれかの機能は、処理回路１１０１と通信サブシステム１１３１との間で区分され得る。別の例では、そのような構成要素のうちのいずれかの非計算集約的機能が、ソフトウェアまたはファームウェアで実装され得、計算集約的機能がハードウェアで実装され得る。
【０２０７】
図１２は、いくつかの実施形態による、仮想化環境を示す概略図である。
【０２０８】
図１２は、いくつかの実施形態によって実装される機能が仮想化され得る、仮想化環境１２００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０２０９】
いくつかの実施形態では、本明細書で説明される機能の一部または全部は、ハードウェアノード１２３０のうちの１つまたは複数によってホストされる１つまたは複数の仮想環境１２００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０２１０】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション１２２０によって実装され得る。アプリケーション１２２０は、処理回路１２６０とメモリ１２９０とを備えるハードウェア１２３０を提供する、仮想化環境１２００において稼働される。メモリ１２９０は、処理回路１２６０によって実行可能な命令１２９５を含んでおり、それにより、アプリケーション１２２０は、本明細書で開示される特徴、利益、および／または機能のうちの１つまたは複数を提供するように動作可能である。
【０２１１】
仮想化環境１２００は、１つまたは複数のプロセッサのセットまたは処理回路１２６０を備える、汎用または専用のネットワークハードウェアデバイス１２３０を備え、１つまたは複数のプロセッサのセットまたは処理回路１２６０は、商用オフザシェルフ（ＣＯＴＳ）プロセッサ、専用の特定用途向け集積回路（ＡＳＩＣ）、あるいは、デジタルもしくはアナログハードウェア構成要素または専用プロセッサを含む任意の他のタイプの処理回路であり得る。各ハードウェアデバイスはメモリ１２９０−１を備え得、メモリ１２９０−１は、処理回路１２６０によって実行される命令１２９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）１２７０を備え得、ネットワークインターフェースコントローラ（ＮＩＣ）１２７０は物理ネットワークインターフェース１２８０を含む。各ハードウェアデバイスは、処理回路１２６０によって実行可能なソフトウェア１２９５および／または命令を記憶した、非一時的、永続的、機械可読記憶媒体１２９０−２をも含み得る。ソフトウェア１２９５は、１つまたは複数の（ハイパーバイザとも呼ばれる）仮想化レイヤ１２５０をインスタンス化するためのソフトウェア、仮想マシン１２４０を実行するためのソフトウェア、ならびに、それらが、本明細書で説明されるいくつかの実施形態との関係において説明される機能、特徴および／または利益を実行することを可能にする、ソフトウェアを含む、任意のタイプのソフトウェアを含み得る。
【０２１２】
仮想マシン１２４０は、仮想処理、仮想メモリ、仮想ネットワーキングまたはインターフェース、および仮想記憶域を備え、対応する仮想化レイヤ１２５０またはハイパーバイザによって稼働され得る。仮想アプライアンス１２２０の事例の異なる実施形態が、仮想マシン１２４０のうちの１つまたは複数上で実装され得、実装は異なるやり方で行われ得る。
【０２１３】
動作中に、処理回路１２６０は、ソフトウェア１２９５を実行してハイパーバイザまたは仮想化レイヤ１２５０をインスタンス化し、ハイパーバイザまたは仮想化レイヤ１２５０は、時々、仮想マシンモニタ（ＶＭＭ）と呼ばれることがある。仮想化レイヤ１２５０は、仮想マシン１２４０に、ネットワーキングハードウェアのように見える仮想動作プラットフォームを提示し得る。
【０２１４】
図１２に示されているように、ハードウェア１２３０は、一般的なまたは特定の構成要素をもつスタンドアロンネットワークノードであり得る。ハードウェア１２３０は、アンテナ１２２２５を備え得、仮想化を介していくつかの機能を実装し得る。代替的に、ハードウェア１２３０は、多くのハードウェアノードが協働し、特に、アプリケーション１２２０のライフサイクル管理を監督する、管理およびオーケストレーション（ＭＡＮＯ）１２１００を介して管理される、（たとえば、データセンタまたは顧客構内機器（ＣＰＥ）の場合のような）ハードウェアのより大きいクラスタの一部であり得る。
【０２１５】
ハードウェアの仮想化は、いくつかのコンテキストにおいて、ネットワーク機能仮想化（ＮＦＶ）と呼ばれる。ＮＦＶは、多くのネットワーク機器タイプを、データセンタおよび顧客構内機器中に位置し得る、業界標準高ボリュームサーバハードウェア、物理スイッチ、および物理記憶域上にコンソリデートするために使用され得る。
【０２１６】
ＮＦＶのコンテキストでは、仮想マシン１２４０は、プログラムを、それらのプログラムが、物理的な仮想化されていないマシン上で実行しているかのように稼働する、物理マシンのソフトウェア実装形態であり得る。仮想マシン１２４０の各々と、その仮想マシンに専用のハードウェアであろうと、および／またはその仮想マシンによって仮想マシン１２４０のうちの他の仮想マシンと共有されるハードウェアであろうと、その仮想マシンを実行するハードウェア１２３０のその一部とは、別個の仮想ネットワークエレメント（ＶＮＥ）を形成する。
【０２１７】
さらにＮＦＶのコンテキストでは、仮想ネットワーク機能（ＶＮＦ）は、ハードウェアネットワーキングインフラストラクチャ１２３０の上の１つまたは複数の仮想マシン１２４０において稼働する固有のネットワーク機能をハンドリングすることを担当し、図１２中のアプリケーション１２２０に対応する。
【０２１８】
いくつかの実施形態では、各々、１つまたは複数の送信機１２２２０と１つまたは複数の受信機１２２１０とを含む、１つまたは複数の無線ユニット１２２００は、１つまたは複数のアンテナ１２２２５に結合され得る。無線ユニット１２２００は、１つまたは複数の適切なネットワークインターフェースを介してハードウェアノード１２３０と直接通信し得、無線アクセスノードまたは基地局など、無線能力をもつ仮想ノードを提供するために仮想構成要素と組み合わせて使用され得る。
【０２１９】
いくつかの実施形態では、何らかのシグナリングが、ハードウェアノード１２３０と無線ユニット１２２００との間の通信のために代替的に使用され得る制御システム１２２３０を使用して、実現され得る。
【０２２０】
図１３は、いくつかの実施形態による、中間ネットワークを介してホストコンピュータに接続された電気通信ネットワークを示す概略図である。
【０２２１】
図１３を参照すると、一実施形態によれば、通信システムが、無線アクセスネットワークなどのアクセスネットワーク１３１１とコアネットワーク１３１４とを備える、３ＧＰＰタイプセルラーネットワークなどの電気通信ネットワーク１３１０を含む。アクセスネットワーク１３１１は、ＮＢ、ｅＮＢ、ｇＮＢまたは他のタイプの無線アクセスポイントなど、複数の基地局１３１２ａ、１３１２ｂ、１３１２ｃを備え、各々が、対応するカバレッジエリア１３１３ａ、１３１３ｂ、１３１３ｃを規定する。各基地局１３１２ａ、１３１２ｂ、１３１２ｃは、有線接続または無線接続１３１５上でコアネットワーク１３１４に接続可能である。カバレッジエリア１３１３ｃ中に位置する第１のＵＥ１３９１が、対応する基地局１３１２ｃに無線で接続するか、または対応する基地局１３１２ｃによってページングされるように設定される。カバレッジエリア１３１３ａ中の第２のＵＥ１３９２が、対応する基地局１３１２ａに無線で接続可能である。この例では複数のＵＥ１３９１、１３９２が示されているが、開示される実施形態は、唯一のＵＥがカバレッジエリア中にある状況、または唯一のＵＥが対応する基地局１３１２に接続している状況に等しく適用可能である。
【０２２２】
電気通信ネットワーク１３１０は、それ自体、ホストコンピュータ１３３０に接続され、ホストコンピュータ１３３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ１３３０は、サービスプロバイダの所有または制御下にあり得、あるいはサービスプロバイダによってまたはサービスプロバイダに代わって動作され得る。電気通信ネットワーク１３１０とホストコンピュータ１３３０との間の接続１３２１および１３２２は、コアネットワーク１３１４からホストコンピュータ１３３０に直接延び得るか、または任意選択的の中間ネットワーク１３２０を介して進み得る。中間ネットワーク１３２０は、パブリックネットワーク、プライベートネットワーク、またはホストされたネットワークのうちの１つ、またはそれらのうちの２つ以上の組合せであり得、中間ネットワーク１３２０は、もしあれば、バックボーンネットワークまたはインターネットであり得、特に、中間ネットワーク１３２０は、２つまたはそれ以上のサブネットワーク（図示せず）を備え得る。
【０２２３】
図１３の通信システムは全体として、接続されたＵＥ１３９１、１３９２とホストコンピュータ１３３０との間のコネクティビティを可能にする。コネクティビティは、オーバーザトップ（ＯＴＴ）接続１３５０として説明され得る。ホストコンピュータ１３３０および接続されたＵＥ１３９１、１３９２は、アクセスネットワーク１３１１、コアネットワーク１３１４、任意の中間ネットワーク１３２０、および考えられるさらなるインフラストラクチャ（図示せず）を媒介として使用して、ＯＴＴ接続１３５０を介して、データおよび／またはシグナリングを通信するように設定される。ＯＴＴ接続１３５０は、ＯＴＴ接続１３５０が通過する、参加する通信デバイスが、アップリンクおよびダウンリンク通信のルーティングに気づいていないという意味で、透過的であり得る。たとえば、基地局１３１２は、接続されたＵＥ１３９１にフォワーディング（たとえば、ハンドオーバ）されるべき、ホストコンピュータ１３３０から発生したデータを伴う着信ダウンリンク通信の過去のルーティングについて、通知されないことがあるかまたは通知される必要がない。同様に、基地局１３１２は、ＵＥ１３９１から発生してホストコンピュータ１３３０に向かう発信アップリンク通信の将来のルーティングに気づいている必要がない。
【０２２４】
図１４は、いくつかの実施形態による、部分的無線接続上で基地局を介してユーザ機器と通信するホストコンピュータを示す概略図である。
【０２２５】
次に、一実施形態による、前の段落において説明されたＵＥ、基地局およびホストコンピュータの例示的な実装形態が、図１４を参照しながら説明される。通信システム１４００では、ホストコンピュータ１４１０が、通信システム１４００の異なる通信デバイスのインターフェースとの有線接続または無線接続をセットアップおよび維持するように設定された通信インターフェース１４１６を含む、ハードウェア１４１５を備える。ホストコンピュータ１４１０は、記憶能力および／または処理能力を有し得る、処理回路１４１８をさらに備える。特に、処理回路１４１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１４１０は、ホストコンピュータ１４１０に記憶されるかまたはホストコンピュータ１４１０によってアクセス可能であり、処理回路１４１８によって実行可能である、ソフトウェア１４１１をさらに備える。ソフトウェア１４１１は、ホストアプリケーション１４１２を含む。ホストアプリケーション１４１２は、ＵＥ１４３０およびホストコンピュータ１４１０において終端するＯＴＴ接続１４５０を介して接続するＵＥ１４３０など、リモートユーザにサービスを提供するように動作可能であり得る。リモートユーザにサービスを提供する際に、ホストアプリケーション１４１２は、ＯＴＴ接続１４５０を使用して送信されるユーザデータを提供し得る。
【０２２６】
通信システム１４００は、電気通信システム中に提供される基地局１４２０をさらに含み、基地局１４２０は、基地局１４２０がホストコンピュータ１４１０およびＵＥ１４３０と通信することを可能にするハードウェア１４２５を備える。ハードウェア１４２５は、通信システム１４００の異なる通信デバイスのインターフェースとの有線接続または無線接続をセットアップおよび維持するための通信インターフェース１４２６、ならびに基地局１４２０によってサーブされるカバレッジエリア（図１４に図示せず）中に位置するＵＥ１４３０との少なくとも無線接続１４７０をセットアップおよび維持するための無線インターフェース１４２７を含み得る。通信インターフェース１４２６は、ホストコンピュータ１４１０への接続１４６０を容易にするように設定され得る。接続１４６０は直接であり得るか、あるいは、接続１４６０は、電気通信システムのコアネットワーク（図１４に図示せず）を、および／または電気通信システムの外部の１つまたは複数の中間ネットワークを通過し得る。図示の実施形態では、基地局１４２０のハードウェア１４２５は、処理回路１４２８をさらに含み、処理回路１４２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局１４２０は、内部的に記憶されるかまたは外部接続を介してアクセス可能なソフトウェア１４２１をさらに有する。
【０２２７】
通信システム１４００は、すでに言及されたＵＥ１４３０をさらに含む。ＵＥ１４３０のハードウェア１４３５は、ＵＥ１４３０が現在位置するカバレッジエリアをサーブする基地局との無線接続１４７０をセットアップおよび維持するように設定された、無線インターフェース１４３７を含み得る。ＵＥ１４３０のハードウェア１４３５は、処理回路１４３８をさらに含み、処理回路１４３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ１４３０は、ＵＥ１４３０に記憶されるかまたはＵＥ１４３０によってアクセス可能であり、処理回路１４３８によって実行可能である、ソフトウェア１４３１をさらに備える。ソフトウェア１４３１はクライアントアプリケーション１４３２を含む。クライアントアプリケーション１４３２は、ホストコンピュータ１４１０のサポートのもとに、ＵＥ１４３０を介して人間のまたは人間でないユーザにサービスを提供するように動作可能であり得る。ホストコンピュータ１４１０では、実行しているホストアプリケーション１４１２は、ＵＥ１４３０およびホストコンピュータ１４１０において終端するＯＴＴ接続１４５０を介して、実行しているクライアントアプリケーション１４３２と通信し得る。ユーザにサービスを提供する際に、クライアントアプリケーション１４３２は、ホストアプリケーション１４１２から要求データを受信し、要求データに応答してユーザデータを提供し得る。ＯＴＴ接続１４５０は、要求データとユーザデータの両方を転送し得る。クライアントアプリケーション１４３２は、クライアントアプリケーション１４３２が提供するユーザデータを生成するためにユーザと対話し得る。
【０２２８】
図１４に示されているホストコンピュータ１４１０、基地局１４２０およびＵＥ１４３０は、それぞれ、図１３のホストコンピュータ１３３０、基地局１３１２ａ、１３１２ｂ、１３１２ｃのうちの１つ、およびＵＥ１３９１、１３９２のうちの１つと同様または同等であり得ることに留意されたい。つまり、これらのエンティティの内部の働きは、図１４に示されているようなものであり得、別個に、周囲のネットワークトポロジーは、図１３のものであり得る。
【０２２９】
図１４では、ＯＴＴ接続１４５０は、仲介デバイスとこれらのデバイスを介したメッセージの正確なルーティングとへの明示的言及なしに、基地局１４２０を介したホストコンピュータ１４１０とＵＥ１４３０との間の通信を示すために抽象的に描かれている。ネットワークインフラストラクチャが、ルーティングを決定し得、ネットワークインフラストラクチャは、ＵＥ１４３０からまたはホストコンピュータ１４１０を動作させるサービスプロバイダから、またはその両方からルーティングを隠すように設定され得る。ＯＴＴ接続１４５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０２３０】
ＵＥ１４３０と基地局１４２０との間の無線接続１４７０は、本開示全体にわたって説明される実施形態の教示に従う。様々な実施形態のうちの１つまたは複数は、無線接続１４７０が最後のセグメントを形成するＯＴＴ接続１４５０を使用して、ＵＥ１４３０に提供されるＯＴＴサービスの性能を改善する。より正確には、これらの実施形態の教示は、ネットワーク接続の再アクティブ化のためのレイテンシおよび電力消費を改善し、それにより、ユーザ待ち時間の低減、レート制御の向上など、利益を提供し得る。
【０２３１】
１つまたは複数の実施形態が改善する、データレート、レイテンシおよび他のファクタを監視する目的での、測定プロシージャが提供され得る。測定結果の変動に応答して、ホストコンピュータ１４１０とＵＥ１４３０との間のＯＴＴ接続１４５０を再設定するための任意選択的のネットワーク機能がさらにあり得る。測定プロシージャおよび／またはＯＴＴ接続１４５０を再設定するためのネットワーク機能は、ホストコンピュータ１４１０のソフトウェア１４１１およびハードウェア１４１５でまたはＵＥ１４３０のソフトウェア１４３１およびハードウェア１４３５で、またはその両方で実装され得る。実施形態では、ＯＴＴ接続１４５０が通過する通信デバイスにおいてまたはそれに関連して、センサー（図示せず）が展開され得、センサーは、上記で例示された監視された量の値を供給すること、またはソフトウェア１４１１、１４３１が監視された量を算出または推定し得る他の物理量の値を供給することによって、測定プロシージャに参加し得る。ＯＴＴ接続１４５０の再設定は、メッセージフォーマット、再送信セッティング、好ましいルーティングなどを含み得、再設定は、基地局１４２０に影響を及ぼす必要がなく、再設定は、基地局１４２０に知られていないかまたは知覚不可能であり得る。そのようなプロシージャおよび機能は、当技術分野において知られ、実践され得る。いくつかの実施形態では、測定は、スループット、伝搬時間、レイテンシなどのホストコンピュータ１４１０の測定を容易にするプロプライエタリＵＥシグナリングを伴い得る。測定は、ソフトウェア１４１１および１４３１が、ソフトウェア１４１１および１４３１が伝搬時間、エラーなどを監視する間にＯＴＴ接続１４５０を使用して、メッセージ、特に空のまたは「ダミー」メッセージが送信されることを引き起こすことにおいて、実装され得る。
【０２３２】
図１５は、いくつかの実施形態による、ホストコンピュータと、基地局と、ユーザ機器とを含む通信システムにおいて実装される方法を示す概略図である。
【０２３３】
図１５は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１５への図面参照のみがこのセクションに含まれる。ステップ１５１０において、ホストコンピュータはユーザデータを提供する。ステップ１５１０の（任意選択的であり得る）サブステップ１５１１において、ホストコンピュータは、ホストアプリケーションを実行することによって、ユーザデータを提供する。ステップ１５２０において、ホストコンピュータは、ＵＥにユーザデータを搬送する送信を始動する。（任意選択的であり得る）ステップ１５３０において、基地局は、本開示全体にわたって説明される実施形態の教示に従って、ホストコンピュータが始動した送信において搬送されたユーザデータをＵＥに送信する。（また、任意選択的であり得る）ステップ１５４０において、ＵＥは、ホストコンピュータによって実行されるホストアプリケーションに関連付けられたクライアントアプリケーションを実行する。
【０２３４】
図１６は、いくつかの実施形態による、ホストコンピュータと、基地局と、ユーザ機器とを含む通信システムにおいて実装される方法を示す概略図である。
【０２３５】
図１６は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１６への図面参照のみがこのセクションに含まれる。方法のステップ１６１０において、ホストコンピュータはユーザデータを提供する。任意選択的なサブステップ（図示せず）において、ホストコンピュータは、ホストアプリケーションを実行することによって、ユーザデータを提供する。ステップ１６２０において、ホストコンピュータは、ＵＥにユーザデータを搬送する送信を始動する。送信は、本開示全体にわたって説明される実施形態の教示に従って、基地局を介して進み得る。（任意選択的であり得る）ステップ１６３０において、ＵＥは、送信において搬送されたユーザデータを受信する。
【０２３６】
図１７は、いくつかの実施形態による、ホストコンピュータと、基地局と、ユーザ機器とを含む通信システムにおいて実装される方法を示す概略図である。
【０２３７】
図１７は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１７への図面参照のみがこのセクションに含まれる。（任意選択的であり得る）ステップ１７１０において、ＵＥは、ホストコンピュータによって提供された入力データを受信する。追加または代替として、ステップ１７２０において、ＵＥはユーザデータを提供する。ステップ１７２０の（任意選択的であり得る）サブステップ１７２１において、ＵＥは、クライアントアプリケーションを実行することによって、ユーザデータを提供する。ステップ１７１０の（任意選択的であり得る）サブステップ１７１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（任意選択的であり得る）サブステップ１７３０において、ホストコンピュータへのユーザデータの送信を始動する。方法のステップ１７４０において、ホストコンピュータは、本開示全体にわたって説明される実施形態の教示に従って、ＵＥから送信されたユーザデータを受信する。
【０２３８】
図１８は、いくつかの実施形態による、ホストコンピュータと、基地局と、ユーザ機器とを含む通信システムにおいて実装される方法を示す概略図である。
【０２３９】
図１８は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１８への図面参照のみがこのセクションに含まれる。（任意選択的であり得る）ステップ１８１０において、本開示全体にわたって説明される実施形態の教示に従って、基地局は、ＵＥからユーザデータを受信する。（任意選択的であり得る）ステップ１８２０において、基地局は、ホストコンピュータへの、受信されたユーザデータの送信を始動する。（任意選択的であり得る）ステップ１８３０において、ホストコンピュータは、基地局によって始動された送信において搬送されたユーザデータを受信する。
【０２４０】
本開示の実施形態によれば、電力制御は、２ステップＲＡＣＨプロシージャにおいてなど、４ステップＲＡＣＨプロシージャと異なるＲＡＣＨプロシージャにおいて達成され得る。
【０２４１】
概して、本開示の様々な例示的な実施形態は、ハードウェアまたは専用回路、ソフトウェア、論理あるいはそれらの任意の組合せで実装され得る。たとえば、いくつかの態様は、ハードウェアで実装され得、他の態様は、コントローラ、マイクロプロセッサまたは他のコンピューティングデバイスによって実行され得るファームウェアまたはソフトウェアで実装され得るが、本開示はそれに限定されない。本開示の例示的な実施形態の様々な態様は、ブロック図、フローチャートとして、または何らかの他の図式表現を使用して、例示および説明され得るが、本明細書で説明されるこれらのブロック、装置、システム、技法または方法は、非限定的な例として、ハードウェア、ソフトウェア、ファームウェア、専用回路または論理、汎用ハードウェアまたはコントローラまたは他のコンピューティングデバイス、あるいはそれらの何らかの組合せで実装され得ることを十分に理解されたい。
【０２４２】
したがって、本開示の例示的な実施形態の少なくともいくつかの態様が、集積回路チップおよびモジュールなど、様々な構成要素において実践され得ることを諒解されたい。したがって、本開示の例示的な実施形態は、集積回路として具現される装置において実現され得、ここで、集積回路は、本開示の例示的な実施形態に従って動作するように設定可能である、データプロセッサ、デジタル信号プロセッサ、ベースバンド回路および無線周波数回路のうちの少なくとも１つまたは複数を具現するための回路（ならびに場合によってはファームウェア）を含み得る。
【０２４３】
本開示の例示的な実施形態の少なくともいくつかの態様が、１つまたは複数のコンピュータまたは他のデバイスによって実行される、１つまたは複数のプログラムモジュールでなど、コンピュータ実行可能命令で具現され得ることを諒解されたい。概して、プログラムモジュールは、コンピュータまたは他のデバイス中のプロセッサによって実行されたとき、特定のタスクを実施するか、または特定の抽象データ型を実装する、ルーチン、プログラム、オブジェクト、構成要素、データ構造などを含む。コンピュータ実行可能命令は、ハードディスク、光ディスク、リムーバブル記憶媒体、固体メモリ、ＲＡＭなど、コンピュータ可読媒体に記憶され得る。当業者によって諒解されるように、プログラムモジュールの機能は、様々な実施形態において必要に応じて組み合わせられるかまたは分散され得る。さらに、機能は、集積回路、フィールドプログラマブルゲートアレイ（ＦＰＧＡ）など、ファームウェアまたはハードウェア等価物において全体的にまたは部分的に具現され得る。
【０２４４】
本開示は、明示的に本明細書で開示される特徴の任意の新規の特徴または組合せあるいはその任意の一般化のいずれかを含む。本開示の上記の例示的な実施形態への様々な修正および適応は、添付の図面とともに読まれるとき、上記の説明に鑑みて、当業者に明らかになり得る。しかしながら、任意のおよびすべての修正が、依然として、本開示の非限定的なおよび例示的な実施形態の範囲内に入る。
【図１】
2022501853.tif 000011
【図２】
2022501853.tif 000012
【図３】
2022501853.tif 000013
【図４】
2022501853.tif 000014
【図５】
2022501853.tif 000015
【図６】
2022501853.tif 000016
【図７】
2022501853.tif 000017
【図８】
2022501853.tif 000018
【図９】
2022501853.tif 000019
【図１０】
2022501853.tif 000020
【図１１】
2022501853.tif 000021
【図１２】
2022501853.tif 000022
【図１３】
2022501853.tif 000023
【図１４】
2022501853.tif 000024
【図１５】
2022501853.tif 000025
【図１６】
2022501853.tif 000026
【図１７】
2022501853.tif 000027
【図１８】
2022501853.tif 000028
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
端末デバイスにおいて実装される方法であって、前記方法が、
ランダムアクセスについての要求メッセージのために使用されるべき少なくとも１つの電力制御パラメータを取得すること（Ｓ１０１）と、
基地局に、前記ランダムアクセスについての前記要求メッセージを送信すること（Ｓ１０２）と
を含み、
前記ランダムアクセスについての前記要求メッセージの電力が、前記少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、方法。
【請求項２】
前記少なくとも１つの電力制御パラメータが、前記要求メッセージの前記物理アップリンク共有チャネル（ＰＵＳＣＨ）の電力を計算するために使用される、請求項１に記載の方法。
【請求項３】
前記少なくとも１つの電力制御パラメータが、
前記要求メッセージの前記ＰＵＳＣＨとプリアンブル送信との間の第１の電力オフセット、
前記要求メッセージの前記ＰＵＳＣＨのための動的電力調節を示す送信電力制御（ＴＰＣ）コマンド、
ダウンリンクパスロス推定値のスケーリングファクタ、
前記ダウンリンクパスロス推定値を計算するための参照信号リソースインデックス、
メッセージ３（ｍｓｇ３）のｄｅｌｔａＭＣＳ
のうちの少なくとも１つを備える、請求項２に記載の方法。
【請求項４】
前記第１の電力オフセットが、４ステップランダムアクセスにおけるメッセージ３（ｍｓｇ３）ＰＵＳＣＨとＲＡＣＨプリアンブル送信との間の第２の電力オフセットと、追加の第３の電力オフセットとを加算することによって計算される、
請求項３に記載の方法。
【請求項５】
前記要求メッセージの前記ＰＵＳＣＨと前記プリアンブル送信との間の前記第１の電力オフセットは、前記追加の第３の電力オフセットが０であるとき、または前記追加の第３の電力オフセットがないとき、前記４ステップランダムアクセスにおける前記ｍｓｇ３  ＰＵＳＣＨと前記ＲＡＣＨプリアンブル送信との間の前記第２の電力オフセットに等しい、
請求項４に記載の方法。
【請求項６】
前記要求メッセージの前記ＰＵＳＣＨと前記プリアンブル送信との間の前記第１の電力オフセットが、前記基地局からシグナリングメッセージを通して取得されるか、またはあらかじめ決定される、
請求項３または４に記載の方法。
【請求項７】
前記要求メッセージの前記ＰＵＳＣＨと前記プリアンブル送信との間の前記第１の電力オフセットが、前記４ステップランダムアクセスにおける前記ｍｓｇ３  ＰＵＳＣＨと前記ＲＡＣＨプリアンブル送信との間の前記第２の電力オフセットと同じであり、
前記４ステップランダムアクセスにおける前記ｍｓｇ３  ＰＵＳＣＨと前記ＲＡＣＨプリアンブル送信との間の前記第２の電力オフセットを示すシグナリングメッセージが、前記要求メッセージの前記ＰＵＳＣＨと前記プリアンブル送信との間の前記第１の電力オフセットを示すために再使用される、
請求項４に記載の方法。
【請求項８】
前記参照信号リソースインデックスが、前記要求メッセージ中のプリアンブルについてのもの、および／または４ステップランダムアクセスにおけるメッセージ１（ｍｓｇ１）の物理ランダムアクセスチャネル（ＰＲＡＣＨ）についてのものと同じである、請求項３に記載の方法。
【請求項９】
前記参照信号リソースインデックスが、前記基地局からシグナリングメッセージを通して取得されるか、またはあらかじめ決定される、
請求項３に記載の方法。
【請求項１０】
前記少なくとも１つの電力制御パラメータを取得すること（Ｓ１０１）が、
前記基地局から、前記少なくとも１つの電力制御パラメータを備えるシグナリングメッセージを受信すること（Ｓ４０１）
を含む、請求項１から９のいずれか一項に記載の方法。
【請求項１１】
前記シグナリングメッセージが無線リソース制御（ＲＲＣ）シグナリングメッセージである、請求項１０に記載の方法。
【請求項１２】
前記ランダムアクセスは、
前記基地局に、前記ランダムアクセスについての前記要求メッセージを送信することと、
前記基地局から、前記ランダムアクセスが成功したかどうかを示す応答を受信することと
を含む２ステップランダムアクセスである、請求項１から１１のいずれか一項に記載の方法。
【請求項１３】
基地局において実装される方法であって、前記方法が、
端末デバイスから、ランダムアクセスについての要求メッセージを受信すること（Ｓ２０１）
を含み、
前記ランダムアクセスについての前記要求メッセージの電力が、少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、方法。
【請求項１４】
端末デバイス（１００）であって、
プロセッサ（６０１）と、
メモリ（６０２）と
を備え、前記メモリ（６０２）が、前記プロセッサ（６０１）によって実行可能な命令を含んでおり、それにより、前記端末デバイス（１００）が、
ランダムアクセスについての要求メッセージのために使用されるべき少なくとも１つの電力制御パラメータを取得することと、
基地局に、前記ランダムアクセスについての前記要求メッセージを送信することと
を行うように動作可能であり、
前記ランダムアクセスについての前記要求メッセージの電力が、前記少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、端末デバイス（１００）。
【請求項１５】
基地局（２００）であって、
プロセッサ（６０３）と、
メモリ（６０４）と
を備え、前記メモリ（６０４）が、前記プロセッサ（６０３）によって実行可能な命令を含んでおり、それにより、前記基地局（２００）が、
端末デバイスから、ランダムアクセスについての要求メッセージを受信すること
を行うように動作可能であり、
前記ランダムアクセスについての前記要求メッセージの電力が、少なくとも１つの電力制御パラメータに基づいて制御され、
前記要求メッセージが、ランダムアクセスチャネル（ＲＡＣＨ）プリアンブルと、物理アップリンク共有チャネル（ＰＵＳＣＨ）とを備える、基地局（２００）。
【国際調査報告】
2022501853.tif 000029
2022501853.tif 000030